(57)【要約】本発明の主題は、突出しが比較的長い用途または切込み深さが深い用途のために構成された突切りブレードおよび工具ホルダに関する。工具ホルダ（６４）は、工具シャンク（７０）と、工具シャンク（７０）に接続された工具ヘッド（９０）とを含む。工具ヘッド（９０）は、インサートシートまたはブレードポケット（９２）を備える。シャンク側面（７８、８０）の少なくとも一部分に隣接して、シャンク側面（７８、８０）と工具ヘッド（９０）とを接続する補強部分（８６）が存在する。【選択図】図２０Ａ
2021504172.tif 000002
【特許請求の範囲】
【請求項１】
前方方向および後方方向を画定するシャンク軸を有する工具シャンクと、
前記工具シャンクに接続され、インサートシートまたはブレードポケットを備える工具ヘッドと、を備える工具ホルダであって、
前記工具シャンクは、前記シャンク軸に垂直な上向き方向および下向き方向を画定し、対向する最上シャンク面および最下シャンク面と、前記シャンク軸ならびに前記上向き方向および前記下向き方向に垂直な第一および第二の側部方向を画定する第一および第二のシャンク側面と、を備え、
前記第一のシャンク側面の少なくとも一部分に隣接して、前記第一のシャンク側面と前記工具ヘッドとを接続する補強部分がある、工具ホルダ。
【請求項２】
前記補強部分は、ブレード形状を有する、請求項１に記載の工具ホルダ。
【請求項３】
前記工具シャンクは、前記上向き方向および前記下向き方向に平行で、前記シャンク軸に垂直に測定可能なシャンク高さＨＳを有し、前記補強部分は、前記シャンク高さＨＳに平行な補強部分高さＨＲを有し、
前記工具ヘッドに近接する前記補強部分高さＨＲは、前記シャンク高さＨＳよりも高く、好ましくはＨＲ≧１．５ＨＳ、最も好ましくはＨＲ≧２ＨＳである、請求項１または２に記載の工具ホルダ。
【請求項４】
前記工具シャンクは、前記上向き方向および前記下向き方向に平行で、前記シャンク軸に垂直に測定可能なシャンク高さＨＳを有し、前記補強部分は、前記上向き方向および前記下向き方向ならびに前記シャンク軸に対して垂直に測定可能な補強部分幅ＨＷを有し、前記シャンク高さＨＳは、前記補強部分幅ＨＷよりも大きい、請求項１〜３のいずれか一項に記載の工具ホルダ。
【請求項５】
前記工具シャンクは、その最後端に位置するシャンク後端を備え、前記補強部分は、前記工具ヘッドから前記シャンク後端まで延在するか、または前記工具ヘッドから前記工具シャンクの中央部分までのみ延在する、請求項１〜４のいずれか一項に記載の工具ホルダ。
【請求項６】
補強部分高さは、前記工具ヘッドに隣接して最も高く、そこからの距離が遠くなると、高さ寸法が小さくなる、請求項１〜５のいずれか一項に記載の工具ホルダ。
【請求項７】
前記シャンク軸に垂直な平面において、前記シャンクは、正方形または円形の断面を備える、請求項１〜６のいずれか一項に記載の工具ホルダ。
【請求項８】
前記補強部分が前記最下シャンク面よりも、さらに前記下向き方向に延在する、請求項１〜７のいずれか一項に記載の工具ホルダ。
【請求項９】
前記工具ヘッドは、前記工具シャンクの前方シャンク部分から前記前方方向および前記下向き方向に延在する、請求項１〜８のいずれか一項に記載の工具ホルダ。
【請求項１０】
前記工具ホルダの上面図において、前記工具ヘッドはテーパ形状を有する、請求項１〜９のいずれか一項に記載の工具ホルダ。
【請求項１１】
前記ブレードポケットまたはインサートシートはブレードポケットであり、前記ブレードポケットが、前記上向き方向に開口するポケット開口部が形成された周壁を備える、請求項１〜１０のいずれか一項に記載の工具ホルダ。
【請求項１２】
前記ブレードポケットまたはインサートシートは、突切りブレードまたは切削インサートを後方および下方から支持するために、ポケット面の最下側および最後側のみに側壁部分を備える、請求項１〜１０のいずれか一項に記載の工具ホルダ。
【請求項１３】
突切りブレードをさらに備える工具アセンブリの一部であり、ポケットの後端に沿って基本的に上向きに延在する周壁は、前記突切りブレードの高さの大部分まで延在する、請求項１２に記載の工具ホルダ。
【請求項１４】
前記インサートシートまたはブレードポケットは、前記工具ヘッドの側面に位置する、請求項１〜１３のいずれか一項に記載の工具ホルダ。
【請求項１５】
ポケット長さＬＰが、工具ヘッド長さＬＨよりも長い、請求項１〜１４のいずれか一項に記載の工具ホルダ。
【請求項１６】
前記ポケット長さＬＰが、前記工具ヘッド長さＬＨよりも少なくとも１０％長い、好ましくは２０％長い、請求項１５に記載の工具ホルダ。
【請求項１７】
請求項１〜１６のいずれか一項に記載の工具ホルダと、突切りブレードまたは切削インサートとを備える、工具アセンブリにおいて、
前記工具ヘッドは、後方に面する工具ヘッド後面と、前記工具ヘッド上に少なくとも部分的に形成され、前記突切りブレードまたは切削インサートを保持するように構成されたポケットとを備え、
前記突切りブレードまたは切削インサートが前記ポケットに取り付けられると、前記工具ヘッド後面の後方に延在する、工具アセンブリ。
【発明の詳細な説明】
【技術分野】
【０００１】
本発明の主題は、突出しが比較的長い用途または切込み深さが深い用途のために構成された突切りブレード（以下、「ブレード」とも呼ばれる）および工具ホルダ（ブレードとともに「切削工具アセンブリ」と呼ばれる）に関する。
【背景技術】
【０００２】
突切りブレードは、その名前が示唆するように、「ブレード」形状を有すると考えることができる。より具体的には、突切りブレードは、金属切削動作、特に、突切りおよびスリット加工動作のために構成された狭い細長い本体を有する。
【０００３】
より正確には、細長いブレード形状は、以下のように定義される。細長い突切りブレードは、第一および第二の長手方向エッジの間、および長手方向エッジよりも短い第一および第二の端部エッジの間に延在する対向する第一および第二の側面を備える。第一の側面と第二の側面との間で画定されるブレード厚さ寸法は、長手方向エッジの間で画定されるブレード幅寸法よりも小さい。ブレード幅寸法は、第一の端部エッジと第二の端部エッジとの間で画定されるブレード長手方向寸法よりも小さい。
【０００４】
また、このような突切りブレードは、切削インサート（以下、「インサート」とも呼ばれる）を保持するように構成されたインサートシートを備える。突切りブレードは細長いので、比較的長い張出し突切り用途に特に適している。長い張出し用途の方は、比較的短い張出し用途よりも曲げおよび振動の影響を受けやすいことが知られている。
【０００５】
長い突出しの用語の代替に、機械加工されるワークピースを参照することもできる。したがって、本出願は、切込み深さが深いこと（例えば、直径が５０ｍｍを超え、好ましくは６０ｍｍまたは７０ｍｍを超え、さらには、例えば、１３０ｍｍまでの直径を有するワークピース）を必要とする機械加工動作のための解決策を提供する。以下の実施形態は、実際には、前記１３０ｍｍの切込み深さに限定されないが、そのような直径サイズは稀である。
【０００６】
このような突切りブレードをその周囲に沿って、具体的には、その長手方向エッジに沿って保持するように構成された工具ホルダは、工具ホルダの対向する顎を使用することで、保持する。長手方向エッジおよび顎は、テーパ構造で構成されており、工具ホルダに対する突切りブレードのクランプおよび摺動運動を可能にし、異なる張出し長さを提供することができる。
【０００７】
このような従来技術の切削工具アセンブリ１０の１つが、本出願人に譲渡された特許文献１に記載されており、図１に概略的に例示されている。この切削工具アセンブリ１０は、突切りブレード１２、切削インサート１４および工具ホルダ１６の一般的に使用される向きを示し、ワークピース１８を突切りするように構成されている。また、この特許文献１には、工具ホルダおよび突切りブレードを介して、すなわち、それらの内部を通って、インサートを冷却するための高圧クーラントの使用を開示している。
【０００８】
別の従来技術の切削工具アセンブリ２０は、非特許文献１に開示されている。この開示による突切りブレード２２は、図２に概略的に再現され、図１に示されたものと同一の工具ホルダ２４によって保持されて示されている（非特許文献１では、異なる工具ホルダが開示されていることに留意されたい）。この再現は、基本的な理解を助けるためだけのものであり、以下で「図２」に向けられたコメントに不正確さがある場合には、非特許文献１内の開示を参照すべきものであることを理解されたい。加えて、理解のために、ワークピース２５が模式的に追加されている。非特許文献１の突切りブレード２２は、主に、図１の突切りブレード１２とは異なり、突切りブレードのインサートシート２６が９０°回転されて、ｙ軸における送り運動を使用している。換言すれば、図２の突切りブレード２２のすくい面５０は、基本的には、突切りブレード２２の伸びに対して垂直であり、一方、突切りブレード１２のすくい面４８は、基本的に、突切りブレード１２の伸びに対して平行である。
【０００９】
前記ポケットの向きによって、より安定性が増し、振動がより少なくなると言われているが、その理由は、切削力が突切りブレードの長手方向延長部により多く向けられ、それにより著しく高い送り速度が可能になるからである。また、突切りブレード２２は、その中をクーラントが通るように構成された突切りブレードを示しており、このことは、切削インサート３２およびブレード２２に取り付けられた封止装置３４に隣接して見えるクーラント出口（その基本位置は概略的に２８および３０で示される）によって示すとおりである。
【先行技術文献】
【特許文献】
【００１０】
【特許文献１】欧州特許第２８２２７２０号
【００１１】
【非特許文献１】Ｓａｎｄｖｉｋ  Ｇｒｏｕｐ  Ｍａｇａｚｉｎｅ“Ｍｅｅｔ  Ｓａｎｄｖｉｋ  ＃２−２０１７”ｐ．７
【発明の概要】
【発明が解決しようとする課題】
【００１２】
本発明の目的は、新たに改良された突切りブレードと、工具ホルダと、工具切削アセンブリを提供することである。
【課題を解決するための手段】
【００１３】
本発明の第一の態様によれば、基本伸長方向を有し、第一および第二の長手方向エッジの間に延在し、また第一および第二の長手方向エッジよりも短く、かつそれらに対して横方向に延在して対向する第一および第二の端部エッジの間にも延在して対向する第一および第二の側面と、第一の長手方向エッジおよび第一の端部エッジに関連するインサートシートとを備える細長い突切りブレードが提供され、インサートシートは、互いに対向する位置にインサート受容ギャップ（以下「ギャップ」ともいう）を形成する第一および第二のインサート顎を備え、インサート受容ギャップは、第一の端部エッジに向かう方向に開口する。
【００１４】
本発明の第二の態様によれば、基本伸長方向を有し、第一および第二の長手方向エッジの間に延在し、また第一および第二の長手方向エッジよりも短く、かつそれらに対して横方向に延在して対向する第一および第二の端部エッジの間にも延在して対向する第一および第二の側面と、第一の長手方向エッジおよび第一の端部エッジに関連するインサートシートとを備える細長い突切りブレードが提供され、インサートシートは、第一の長手方向エッジの第一の長手方向エッジ末端によって形成される下部シート当接面と、第一の端部エッジの第一の端部エッジ末端によって形成される後部シート当接面とで構成され、下部シート当接面と後部シート当接面とは、互いに非平行に延在する。
【００１５】
第一の態様および第二の態様の両方が、代替の方法で同様のコンセプト、すなわち、インサートシート構成を規定し、図１および図２の両方の先行技術の突切りブレードを超える利点を提供することが理解されるであろう。
【００１６】
詳述すると、図１のインサートシートは、図２に示すものよりも良好にチップを排出する。その理由は、切削インサート１４のすくい面４８の上方にはインサート顎３６が配置されていないので（図２）、チップが妨害されずに流れるための空間がより多くあるからである。しかしながら、図２の突切りブレード２２には、理論的な付加的安定性は提供されない。対照的に、図２のインサートシート２６は、切削インサートに極めて近いクーラント出口２８を有し（すなわち、その近傍は、クーラント出口２８を構成するインサート顎３６の存在による）、その突切りブレード２２は、考えられている付加的安定性を有するが、図１の構成での付加的なチップ排出能力を欠いている。
【００１７】
見出されたさらに別の独立した利点は、高送り用途（例えば、０．２０ｍｍ／ｒｅｖより大きい）では、弾性顎を使用すると、力が増すために、その弾性が急速に失われるので、通常の送り用途（例えば、０．２０ｍｍ／ｒｅｖ以下）よりも不利なことである。弾性顎のない高送り用のインサートシートは、それ自体独立した利点であることが理解されるであろう。
【００１８】
したがって、第三の態様は、高送り用途（例えば、０．２０ｍｍ／ｒｅｖ以上）または比較的深い切込み深さ（例えば、＞５０ｍｍ）のための突切りブレードであり、この突切りブレードは、下部シート当接面および後部シート当接面を有するように構成されたインサートシートを備え、下部シート当接面および後部シート当接面は、互いに非平行に延在する。好ましくは、下部シート当接面は、基本的に後部シート当接面に対して垂直に延在することができる。より好ましくは、後部シート当接面は、基本的に下部シート当接面に対して直角に延在することができる。明確にするために、前記突切りブレードは、インサートシートの上方に延在する（すなわち、下部シート当接面の反対側に、または下部シート当接面と後部シート当接面との間に形成されたギャップのみにわたって延在する）顎を欠いている。
【００１９】
ギャップまたは下部シート当接面にわたって延在する前記顎を欠くインサートシートを有する前記突切りブレードは、他の態様のいずれにも適用可能であり得る独立して有利な特徴であることが理解されるであろう。しかしながら、他の態様は、この特定のタイプのインサートシートに限定されないことも理解されるであろう。
【００２０】
図３に示されるような本発明は、図２に示されるように、すくい面の側の切削刃に近接するようなクーラント出口の有利な利点を有していないにもかかわらず、特に比較的高い送り速度および関連するチップに使用され得るこのような突切りブレードにおいて、チップ排出能力が有利なことは、この欠点を上回ると考えられる。
【００２１】
上記のいずれかの態様によれば、好ましくは、下部シート当接面は、基本的に伸長方向に対して垂直に延在でき、後部シート当接面は、基本的に、伸長方向に対して平行に延在できる。より好ましくは、後部シート当接面は、基本的に下部シート当接面に対して直角に延在することができ、基本的に伸長方向に対して平行に延在することができる。
【００２２】
上記のいずれかの態様によれば、第二の長手方向エッジおよび第一の端部エッジに関連する追加のインサートシートを設けることができる。好ましくは、追加のインサートシートは、対応するインサートシート構造を有する。
【００２３】
図２の構成では、第一および第二のインサート顎３６、４０の可撓性接続部３８は、第二の長手方向エッジ４４および第一の端部エッジ４６に関連する対向するコーナー４２に近接して位置していることに留意されたい。そのような構成は、第一の端部エッジ４６に関連する単一のインサートシートのみを許容することが理解されるであろう（第一のエッジは、突切りブレードの短い方のエッジであり、したがって、比較的近くに位置することに留意されたい）。対照的に、図３を参照すると、インサート顎上の比較の可撓性接続部は、第一のエッジの隣接するコーナーに近接して位置していないので、第一のエッジに関連する第二のインサートを設けることができる。単一の突切りブレード上に追加のインサートシートを設けることによって、突切りブレードの工具寿命が著しく延びることが理解されるであろう。これは、上述の改善されたチップフローに加えて、本発明にとって独立した利点である。
【００２４】
上記の態様のいずれかによれば、第二の端部エッジに関連する追加のインサートシートを設けることができる。
【００２５】
図２の従来技術の突切りブレードから理解されるように、割出しが不可能な設計は、突切りブレードの短いエッジに位置するインサートシート２６の可撓性接続部３８に由来する可能性が高い。図１とは異なり、図２の切削力は、ブレードの後部４７に配置されたストッパを必要とする可能性がより高くなることに注意すると、ストッパに当接するための損傷しやすい可撓性接続部を設けないことが明らかに好まれた。
【００２６】
しかしながら、そのような位置に可撓性接続部を含まない上記の態様では、少なくとも１つのインサートシートを第一および第二の端部エッジの両方に配置することができるというさらなる利点がある。
【００２７】
上記の態様のいずれかによれば、インサートシートのタイプにかかわらず、インサートシートに関連する長手方向エッジは、インサートシートの下に延在するように斜め方向に延在することができる。換言すれば、突切りブレードの伸長方向は、切削インサートのすくい面に対して直交しないようにすることができる。
【００２８】
図１および図２の従来技術のブレードの両方において、長手方向エッジ４４、４５は、インサートシートの下側に延在するように、突切りブレードの斜め伸長方向には延在しないことが理解されるであろう。同様に、両方の開示におけるすくい面４８、５０は、基本的に、伸長方向と平行であるか、または基本的に垂直であるかのいずれかである。
【００２９】
このような特徴（以下、「斜め突切りブレード構造」という）を提供することにより、本発明は、突切りブレードに加えられる切削力をより多くの方向に向けられるために、理論的に、従来技術で知られているものよりも安定した突切りブレードを提供する。ワークピース直径のような異なる変数が切削力方向を変化させることを理解する一方で、最も好ましい斜角Θは、６０°＞Θ＞０°、より好ましくは５０°＞Θ＞１０°、最も好ましくは４０°＞Θ＞２０°の状態を満たす。さらに、その値が３０°になる傾向があるので、より有益であると考えられる。斜角Θは、シャンク軸に垂直な線と、最前の斜めに延在する長手方向エッジとの間で測定可能である。
【００３０】
このような斜め突切りブレード構造は、切削力方向に関して有利であり得るとしても、例えば、インサートシートの長手方向エッジ側において、切削インサートの直下の材料の除去によって、インサートシートの構造強度が弱化する。
【００３１】
したがって、斜め突切りブレード構造を提供することに加えて、前記弱化は、インサートシートに隣接する直交サブエッジを提供することによって対抗することができる。詳述すると、インサートシートに関連する長手方向エッジの直交サブエッジ部分は、非斜め方向に延在することができ（例えば、インサートシートの下で斜めに延在しないか、または換言すれば、すくい面に直交して延在する）、接続された斜めサブエッジは、直交サブエッジから対向する端部エッジに向かって延在することができる。
【００３２】
このような直交サブエッジ部分によって、２つの独立したメリットがもたらされる。第一のメリットは、長手方向エッジと関連するインサート顎を強化すること（すなわち、インサート顎をより厚くすること、および／または切削インサートの真下に延在させ、支持をより強化できること）であり、第二のメリットは、インサートシートを第一または第二の端部エッジの中央に近づくように移動して、それによって切削力を突切りブレードの伸長方向に沿ってさらに中心に向けることである。
【００３３】
したがって、本発明の第四の態様では、基本伸長方向を有し、第一および第二の長手方向エッジの間に延在し、また第一および第二の長手方向エッジよりも短く、かつ第一および第二の長手方向エッジに対して横方向に延在して対向する第一および第二の端部エッジの間にも延在して対向する第一および第二の側面と、第一の長手方向エッジおよび第一の端部エッジに関連するインサートシートとを備える細長い突切りブレードが提供され、インサートシートは、第二の長手方向エッジに向かって凹んでいる。
【００３４】
換言すれば、「第二の長手方向エッジに向かって凹んでいる」という用語は、代替的に、第一の長手方向エッジの仮想延長線から第二の長手方向エッジに向かう方向に離れていると定義することができる。
【００３５】
使用される用語にかかわらず、そのような態様は、上述のような切削力の集中化を提供することが理解されるであろう。また、第一、第二、および第三の態様に関して上述した特徴のいずれも、特定のインサートシート構造ではなく、インサートシートの好ましい位置を画定するこの態様にも適用可能であることが理解されるであろう。
【００３６】
本発明の第五の態様では、基本伸長方向を有し、第一および第二の長手方向エッジの間に延在し、第一および第二の長手方向エッジよりも短い第一および第二の端部エッジに対しても延在する、対向する第一および第二の側面と、第一の長手方向エッジおよび第一の端部エッジに関連するインサートシートとを備える細長い突切りブレードが提供され、第一および第二の長手方向エッジは基本伸長方向に沿って延在し、突切りブレードは、第一の端部エッジに開口するインサートシートまたはその近くにあるインサートシートをさらに備え、インサートシートは、下部シート当接面および少なくとも１つの追加当接面を備え、第一の長手方向エッジは、下部シート当接面に近接し、その下に延在する近接部分を備える。
【００３７】
より正確には、インサートシートは、（ａ）第一の端部エッジ、（ｂ）第一の端部エッジおよび第一の長手方向エッジの両方、または（ｃ）第一の端部エッジに隣接する第一の長手方向エッジの部分のうちの１つに開口することができる。
【００３８】
好ましくは、近接部分は、インサートシート全体の下に延在する。
【００３９】
好ましくは、近接部分は、後方方向および下向き方向（ＤＲ、ＤＤ）の両方に延在する。
【００４０】
好ましくは、下向き方向ＤＤと近接部分との間で測定可能な斜めブレード角θ１は、６０°＞θ１＞０°、より好ましくは５０°＞θ１＞１０°、最も好ましくは４０°＞θ１＞２０°の条件を満たす。さらに、斜めブレード角θ１の値は、それらが３０°になる傾向があるので、より有益であると考えられる。
【００４１】
上述の少なくとも１つの追加当接面は、上顎の当接面（図２に示されるポケットタイプと同様であり、上顎は「３６」として示され、したがって、少なくとも１つの追加当接部は、下部シート当接面に対向する）とすることができ、または後部シート当接面（図５Ｂに示されるポケットタイプと同様であり、「１３４Ｂ」として示され、したがって、少なくとも１つの追加当接部は、基本的に下部シート当接面に垂直である）とすることができる。追加当接面の正確な向きは重要ではなく、むしろ、典型的には、複数の当接面によってインサートを固定する必要があり、下部シート当接面の位置が、近接部分の相対的な向きを記述するために使用されることが理解されるであろう。また、下部シート当接面は、平坦面以外にすることもでき、また平坦面以外であることも多いが、基本的には、シート平面ＰＳ内にあることが理解されるであろう（図１６Ｂ参照）。シート平面は、基本的に、第一および第二の側面に対して垂直であり、前方方向および後方方向（ＤＦ、ＤＲ）に対して平行である。
【００４２】
細長い突切りブレードは、線形形状または非線形形状を有することができる。例えば、細長い突切りブレードは、屈曲させることも、あるいは湾曲させることもできる。突切りブレードが屈曲部を備える実施形態において、屈曲部は、ブレードの長さのほぼ中央に位置され得る。好ましくは、屈曲部は、ブレードの長さの正確に中央にすることができ、それによって、ブレードがその中央付近で等しく割り出せるようにすることができる。
【００４３】
このようなブレードは、例えば、取り付け位置において、垂直に延在するクランプ部分と、斜めに延在する切削部分とを有することができる（これらの部分は、割出し可能であれば、割出し時に機能を切り替えることができる）。したがって、例えば、ブレードは、図３に示すように比較的コンパクトな工具ホルダ６４内に取り付けることができる。それでも、切削アセンブリ内に設けられた有利な斜めの向きを有し、例えば、図６および図７Ａに示すとおりである。さらに、このようなブレードは、斜めでないブレード用に設計された標準的な工具ホルダ１６または２４（例えば、図１および図２に示す）に取り付けることができる。
【００４４】
このような突切りブレードは、必要に応じて、異なる張出し長さで取り付けることさえ可能であることが理解されるであろう。これは、有利な力を印加するときに追加される。
【００４５】
初期試験は、０°（図３）のみならず、１５°（図７Ａ）および−１５°（図示せず）の斜角を有する線形ブレードで行った。安定性は全ての角度において優れていた。最近の試験では、（図７Ａに示すブレードに同様の構成で）斜め配向角が３０°の線形ブレードが、優れた結果（前述の実施形態の約２倍のスリットを実施する）を有することが判明した。図１６Ａ〜図１６Ｅに示され、３０°の斜め配向角を有するタイプの非線形ブレードは、試験された線形ブレードと同様のメリットを有すると期待される。
【００４６】
本発明の第六の態様によれば、突切りブレードは、基本伸長方向を有し、第一および第二の長手方向エッジの間に延在し、また第一および第二の長手方向エッジよりも短く、かつそれらに対して横方向に延在して対向する第一および第二の端部エッジの間にも延在して対向する第一および第二の側面と、第一の長手方向エッジおよび第一の端部エッジに関連するインサートシートとを備える細長い突切りブレードが提供され、第一の端部エッジは、インサートシートよりも基本伸長方向にさらに突出する突出部分をさらに備え、突出部分は、インサートシートに向けられたブレード出口開口部を備える。
【００４７】
突出部分を設けることにより、利用可能な上述のチップ排出空間が減少するとしても、クーラントを設けることができるという利点は、少なくともある場合には、この有害性を上回るものと考えられる。
【００４８】
本発明の第七の態様によれば、突切りブレードおよび突切りブレードのための封止装置が提供され、突切りブレードは、周縁の間に延在する対向する第一および第二の側面と、インサートシートとを備え、突切りブレードは、第一および第二の側面の両方に繋がるブレード入口開口部と、インサートシートで、またはインサートシートに向かって開口するブレード出口開口部と、ブレード入口開口部からブレード出口開口部に延在するブレード通路とをさらに備える内部クーラント構成をさらに備え、封止装置は、第二の側面でブレード入口開口部を封止するように構成された封止部分と、第一の側面から第二の側面まで測定されたブレード厚さよりも長い少なくとも部分的にねじ切りされたシャンク部分とを備え、突切りブレードは、ねじ切りシャンク部分を受け入れるように構成されたねじ穴を欠いている。
【００４９】
シャンク部分は、ブレードを貫通して延在し、突切りブレードを保持する工具ホルダのねじ穴に螺合接続するように構成されることが理解されるであろう。突切りブレードは、封止装置を取り付けるためのねじ穴がなくても製造することができるので、ブレードの製造は単純化される（例えば、単純なねじ切りされていない穴を設けることによって）。突切りブレードは、ねじ穴がある比較ブレードよりも潜在的に薄くすることができる（通常、最小ブレード厚さを画定する確実な接続には少なくとも３回のねじ回転が必要であるため）。
【００５０】
別の利点は、理論的には、ブレード入口開口部を工具ホルダに直接係合させて固定することが可能であり、それによって、おそらく、封止リングも、突切りブレードと工具ホルダとの間の関連する構造も必要とせずに、高圧クーラント移送を可能にすることであり得る。
【００５１】
したがって、理論的には、２．２ｍｍ以下、好ましくは２．０ｍｍ以下、最も好ましくは１．７ｍｍ以上１．９ｍｍ以下のブレード厚さを有する突切りブレードを提供することが可能であると考えられる。前記厚さは、ブレード全体の厚さを意味する（インサートシート付近に非常に薄い厚さを有し、インサートシートから離れるにつれて厚くなっていく突切りブレードが存在することが理解されるであろう）。
【００５２】
本態様は、特に基本伸長方向、第一および第二の長手方向エッジ、ならびに第一および第二の長手方向エッジよりも短く、横方向に延在して、対向する第一および第二の端部エッジを有する細長い突切りブレードに適用でき、インサートシートは、第一の長手方向エッジと第一の端部エッジと関連する。
【００５３】
さらに、本出願の他の態様のいくつかとは異なり、対向する第一の側面と第二の側面との間にねじ穴がない突切りブレードの利点は、細長くない突切りブレード（例えば、「アダプタ」と称され、国際公開第２０１８／０４７１６２号に開示されたタイプの突切りブレード、前記特許出願は、本出願人に譲渡され、その内容は、参照として本明細書に組み込まれる）に対しても有利である。
【００５４】
ねじ穴のない突切りブレードのメリットは、ブレード厚さを非常に薄くすることが可能になり、突切りブレードの形状とは関係しないことが理解されるであろう。
【００５５】
要約すれば、第七の態様の特徴は、細長くないブレード、例えば、１つまたは複数のインサートシートを有する細長くない突切りブレードにも適用することができる。
【００５６】
第一、第二、第三、および第四の態様は、インサートシートに関連する構造に向けられ、第五の態様は、ブレード形状に関連する構造に向けられ、また第六および第七の態様は、クーラント構造の特徴に向けられることに留意されたい。したがって、第六および第七の態様のいずれかを、第一から第五の態様と関連しない特徴のいずれかと組み合わせて、さらに有利な突切りブレードを提供することができることが理解されるであろう。また、最初の４つの態様のいずれかによる突切りブレードは、必要に応じて、クーラント構造を欠くことができることも理解されよう。
【００５７】
ねじ穴の態様（第六の態様）の議論に記載されていることに加え、突切りブレードは、公知の比較ブレードよりも薄くすることができる。その理由は、切削力を長手方向にブレード内に向ける切削インサートの向きによって、追加の安定性がもたらされるからである。
【００５８】
したがって、上記いずれかの態様によれば、突切りブレードは、２．２ｍｍ以下のブレード厚さを有することができる。前記ブレード厚さは、上で定義された値に従うことができる。
【００５９】
工具ホルダに関して後述するように、これらの態様のいずれかのための好ましい工具ホルダは、突切りブレードを単一位置に保持できる。すなわち、図１および図２の従来技術の突切りブレードに例示されているように、その張出し長を変更する可能性なしに保持することができる。そのような特徴が考慮される実施形態では、上記の態様のいずれかによれば、最大ブレード長さＬＢとシャンク長さＬＳは、その両方ともが伸長方向に平行に測定され、それらの比は、ＬＳ／ＬＢ＜０．４５の条件を、好ましくはＬＳ／ＬＢ＜０．４０の条件を、最も好ましくはＬＳ／ＬＢ＜０．３５の条件を満たすことができる。シャンク長さＬＳは、第二の端部エッジから第一の端部エッジに位置するインサートシートのために構成されたブレード入口開口部まで測定可能な最短距離である。
【００６０】
最大ブレード長さＬＢが理論的にシャンク長さＬＳ（工具ホルダに取り付けるための）と、その残りの張出し長さＬＯとに分割される場合、上記で詳述したインサートシート構造と、異なる張出しに対して構成されていない切削工具アセンブリとを組み合わせることによって、従来の突切りブレードに使用されていたものよりも、シャンク長さＬＳをはるかに短くできることが理解されるであろう。理論的には、シャンク長さＬＳは、ブレード幅ＷＢとほぼ同じ長さまで、短くすることができる。
【００６１】
本発明の第八の態様によれば、前方方向および後方方向を画定するシャンク軸を有する工具シャンクと、工具シャンクに接続された工具ヘッドとを備える工具ホルダが提供され、工具シャンクは、シャンク軸に垂直な上向き方向および下向き方向を画定し、対向する最上シャンク面および最下シャンク面を備え、シャンク軸ならびに上向き方向および下向き方向に垂直な第一および第二の側面方向を画定する第一および第二のシャンク側面をさらに備え、工具ヘッドは、工具シャンクの前方シャンク部分から前方方向および下向き方向に延在し、ブレードポケットを備え、ブレードポケットは、上向き方向に開口するポケット開口部を備える周壁を備える。
【００６２】
前の段落の詳細に束縛されることなく、本発明の一般的なコンセプトは、図１に示されるものと同様の従来の（「水平」）シャンクの向きと、図２に示されるものと同様の非従来の（「垂直」または「基本的に垂直」）突切りブレードの向きとを有する工具ホルダを提供することであり、それによって、図２の設計の安定性の利点を提供しながら、工具ホルダが従来の機械（通常、垂直運動能力を欠く）のタレットに取り付けられることを可能にする。現在の試験は、本発明が従来技術の設計よりもさらに良好な安定性を提供することを示している。上述の従来の機械は垂直運動能力を欠いているので、好ましい実施形態にしたがって、工具ホルダは、突切りブレードを単一位置に保持するように構成される（すなわち、張出し長さを変更する可能性がない）。このような能力は、図１および図２の従来技術の工具ホルダで利用可能である。このような能力は、常に、突切りブレード切削工具アセンブリの主要な特徴の１つであったが、優れた安定性を提供するというトレードオフは、このような欠点を上回ると考えられる。換言すれば、本発明の工具ホルダおよび工具アセンブリの態様は、前の態様で詳述したインサートシート構造またはクーラント構造に限定されないが、それらと併せて使用される場合には明らかに有利であり得る。
【００６３】
続いて、垂直運動能力を有する機械であっても、本発明は、典型的には、垂直運動能力がより軽い機械加工、またはより弱い機械加工のために構成されるので、有利であることも見出された。
【００６４】
ブレードポケットは、突切りブレードを保持するように構成される。ブレードポケットは、工具ヘッドの中央に配置することができる（例えば、溝の内側、図示せず）。しかしながら、好ましくは、ブレードポケットは、工具ヘッドの側面に配置される。
【００６５】
周壁は、ポケット開口部から延在する２つの側壁部分を備えることができる。側壁部分は、下向き方向に延在することができる。好ましい実施形態によれば、側壁部分は、ポケット開口部から下方および後方に延びることができる。理論に拘束されることなく、下方および後方の向き（例えば、図６）は、下方の向きだけ（９０°）（図３）よりも有利であると考えられ、機械加工中の突切りブレードの振動により、突切りブレードのクランプされていない部分が、切削力によってワークピースから離れるようにスイングして、それに影響を与えるために振り子のように戻る可能性は低くなる（このような運動は極めて小さいことが理解されるであろう）。さらに、上述のように、斜め突切りブレード構造が優れていると考えられる。それにもかかわらず、図３は、確かに、本発明の１つの可能な実施形態を構成する。突切りブレードのいずれかの基本的な上方傾斜は、突切りブレードが、図３の垂直傾斜でもなく、図６の前方傾斜でもなく、後方傾斜（図示せず）であっても、本発明の基本的な利点を提供することに留意されたい。それにもかかわらず、後方傾斜は、工具ヘッドが、垂直傾斜よりも前方方向によりも嵩張った構造を有することを必要とし、垂直傾斜は、前方傾斜よりも嵩張った構造を有することを必要とするであろう。図６に示すように、前方傾斜によって、工具ヘッドは、その最下点付近でコンパクトな形状を有することが可能になる（すなわち、破線で示された材料は不要であるが、図３では存在する）。
【００６６】
周壁は、ストッパ壁部分を備えることができる。ストッパ壁部分は、突切りブレードに、一定の相対高さ（すなわち、単一位置）を提供するためのものである。ストッパ部分は、好ましくは、ポケット開口部の反対側に配置される。ストッパ壁部分は、直線状であることが好ましい。ストッパ壁は、側壁部分の一方または両方に接続することができる。
【００６７】
工具ホルダは、突切りブレードをブレードポケットに保持するように構成されたクランプを備えることができる。クランプは、側壁部分の１つに隣接して配置することができる。このような配置は、従来技術の強力な周辺クランプ構成を提供することができる。
【００６８】
１つの好ましい実施形態によれば、クランプは、工具シャンクに最も近い側壁部分に隣接して配置される。これにより、他方の側壁部分（すなわち、最前の側壁部分）を比較的小さくすることができ、工具ヘッドのコンパクトな設計の利点を可能にする。これは、公知の従来技術の切削アセンブリとは反対の配置であることに留意されたい。従来技術の切削アセンブリでは、可動クランプで保持されるブレードと同じ側に切削インサートを有することが知られている。これは、従来の設計では、切削力が、主に静的（したがって、より安定した）構成要素で保持されるブレードの側に向けられるからである。しかしながら、本発明では、工具ホルダの前端のサイズを小さくすることに関心があり、切削力が従来のブレード構成（例えば、図１に示すような構成）よりも長手方向に向けられる場合、これが好ましいと考えられる。
【００６９】
異なる実施形態によれば、周壁は、ポケット開口部から延びる単一の側壁部分を備えることができ、クランプは、第一の側壁部分とは反対側の第二の側壁部分を形成することができる。そのような場合、クランプは、１つまたは複数の可撓性接続部（コンパクトな構造を可能にする）または別個の構成要素（図１に示されるクランプ５４と同様に、製造の容易さを可能にする）を有する工具ホルダと一体化され得る。このような実施形態では、好ましいコンパクトな工具ヘッドの設計は、工具ホルダの前端でのクランプアクセスの好みよって、優れていることもある。
【００７０】
側壁部分は、ストッパ壁部分よりも長くすることができる。換言すれば、ブレードポケットは、細長い形状を有することができる。ブレードポケットが長いほど、クランプが安定することが理解されるであろう。従来技術の工具ホルダの経験則によれば、突切りブレードの張出しは、典型的には、突切りブレードの全長の約１／３であり、残りはクランプされることが要求される。しかしながら、また、ブレードポケットが長ければ長いほど、より大きな工具ヘッドが必要となる。したがって、工具ヘッドのサイズを小さくしながら、十分に強いクランプを提供するために、ブレードポケットの長さを最小にすることが好ましい。
【００７１】
好ましくは、側壁部分の長さＬＳＷ（ポケット開口部からストッパ壁部分まで測定される）およびストッパ長さＬＳＴ（存在する場合、クランプが占める空間を差し引いた２つの側壁部分の間で測定可能であり、換言すれば、ブレード幅ＷＢに相当する）は、ＬＳＷ＜３ＬＳＴの条件、好ましくはＬＳＷ＜２ＬＳＴ、最も好ましくはＬＳＷ＜１．５ＬＳＴを満たす。理論的には、ＬＳＷ≧ＬＳＴであることが好ましい。
【００７２】
したがって、クランプ機構に使用されるねじの数は、従来の３つまたは４つより少なくてもよい。
【００７３】
側壁部分は、図１に見られるものと同様のクランプ構造を提供するようにテーパが付けられていることが好ましい。同様に、突切りブレードの長手方向エッジは、対応してテーパを付けることができる。本発明の工具ホルダは、張出し調整を提供しないので、長手方向エッジが平行であること、またはその全長に沿って平行であることは、厳密には必要ではないことに留意されたい。それにもかかわらず、長手方向エッジをクランプすることは、より好ましくはテーパの付いた長手方向エッジをクランプすることは、最も有利なクランプ構成を提供するものと依然として信じられている。それでも、他の構成（例えば、ブレードおよびポケット面に形成されたねじ穴、あるいは、より好ましくはテーパの付いた側面エッジと組み合わされたねじ穴）も、理論的には可能であろう。それでも、このようなねじ穴のない突切りブレードは、依然として最も好ましい構成である。
【００７４】
一実施形態によれば、ポケット面は、ねじ穴を備える。ねじ穴は、工具ホルダ出口開口部に隣接させることができる。そのような場合、工具ホルダは、高圧クーラント（例えば、２０ｂａｒを超える、または好ましくは６０ｂａｒを超える）のために構成することができる。ポケット面は、理論的には、ブレードポケットと突切りブレードとの間に封止要素（例えば、Ｏリング）を使用しないことができる。
【００７５】
工具ホルダは、好ましくは、突切りブレードを単一位置に保持するように構成することができる（すなわち、単一の張出し長さのみを提供する）。それにもかかわらず、突切りブレードの位置を微調整するために、微調整構成要素を使用できることが想定されている。例えば、このような構成要素は、ストッパ壁部分に隣接して配置することができる。
【００７６】
一実施形態によると、突切りブレードに封止穴を形成することができる。封止穴は、そこを通って、封止装置のシャンクを受け入れるように構成することができる。封止は、伸長方向に伸長させることができる。封止穴は、封止穴を通って延在する封止装置のシャンクを受け入れるように構成されたポケット面穴よりも著しく大きくすることができる。このような構造は、前記微調整を容易にすることができる。あるいは、このような構造は、公差要件を低減して、ブレードおよび／または工具ホルダの製造を容易にすること、および／またはブレードの位置の微調整を可能にすることができる。
【００７７】
図面で例示した工具シャンクは、基本的に断面が正方形であるが、このようなシャンクは断面が円形（すなわち円筒形）のような他の形状であり得ることが理解されるであろう。円筒シャンクの場合、例えば、最上シャンク面および最下シャンク面と、第一および第二のシャンク側面は、画定された先端位置において、シャンク軸に平行な薄いライン部分であり得る。
【００７８】
本発明の第九の態様によれば、前方方向および後方方向を画定するシャンク軸を有する工具シャンクと、工具シャンクに接続され、インサートシートまたはブレードポケットとを備える工具ホルダが提供され、工具シャンクは、シャンク軸に垂直な上向き方向および下向き方向を画定し、対向する最上シャンク面および最下シャンク面と、シャンク軸ならびに上向き方向および下向き方向に垂直な第一および第二の側面方向を画定する第一および第二のシャンク側面を備え、第一のシャンク側面の少なくとも一部に隣接して、第一のシャンク側面および工具ヘッドを接続する補強部分がある。
【００７９】
補強部分は、工具ヘッドを支持するために付加的な構造強度を提供することができる。本主題の対象である長い突出しの用途では、切削力が極めて高くなることと、補強部分が工具ヘッドにかかる曲げ力の低減を支援することが理解されるであろう。
【００８０】
突切りブレード用工具ホルダの開発後、補強部分も他の切削工具タイプの性能を改善することが分かった。
【００８１】
工具シャンクがタレット凹部に取り付けられると、補強部分は、凹部の外側に、タレットに沿って延びるように構成される。
【００８２】
補強部分は、最下シャンク面よりも、さらに下向き方向に延在することが好ましい。そのような実施形態では、補強部分は、最下面に直接隣接する逃げ部分を備えることができることが好ましい。補強部分がタレット側面に当接することが望ましい構成では、逃げ部分は、下向き方向に限られた距離だけ延在し、そこからさらに下向きに、補強部分は、第二の側面方向に向かって（すなわち、概ね工具シャンクに向かって）厚さが増大する。換言すれば、逃げ部分は、補強部分にネック形状を提供することができる。
【００８３】
一実施形態によれば、工具シャンクのシャンク幅は、第二のシャンク側面がタレット凹部に接触せず、補強部分がタレット側面に当接するように構成することができる。好ましくは、そのような実施形態では、前述の逃げ部分がある。
【００８４】
しかしながら、このような当接は、安定性をいくらか助けることができるが、補強部分の主なメリットは、このような当接に由来するとは考えられないことが理解されるであろう。むしろ、工具ヘッドと工具シャンクとの間での追加の構造的支持に由来する。したがって、第二のシャンク側面は、タレット凹部に接触するように構成することができ、補強部分は、タレットから離間するように構成することができることが理解されるであろう。
【００８５】
好ましくは、補強部分は、ブレード形状を有する。詳述すると、第一および第二の側面方向に平行に測定された補強部分幅ＨＷは、補強部分の最小寸法とすることができる。このような構成は、２つのメリットを提供する。第一に、モーメントまたは曲げ力は、ブレード形状のこのような向きに最も効率的に対抗することと、第二に、タレットからの補強部分の突出が最小限であることである。
【００８６】
補強部分は、断面が均一であり、工具ヘッドからシャンク端部まで延在することができるが、支持のために最も重要な領域は、工具ヘッドに隣接していることが理解されるであろう。したがって、好ましくは、補強部分は、工具ヘッドから工具シャンクの中央部分のみまで（すなわち、確実に１つの選択肢ではあるが、シャンク後端まで）延びることができる。これは任意であるが、工具ヘッドに必要とされる材料が減るというメリットも提供する。同様に、補強部分高さ寸法（上向き方向および下向き方向に対して平行に測定される）は、工具ヘッドに隣接して最も高くすることができ、そこからの距離が遠くなると、高さ寸法を小さくすることができる。補強部分は、工具ヘッドからの距離が増加するにつれて、テーパ状高さを有することができる。
【００８７】
好ましくは、補強部分は、ブレードポケットと同じ平面内に位置することができる。換言すれば、突切りおよび溝入れ用途の場合、補強部分が切削インサートと同じ平面になるようにすることが最適である。
【００８８】
好ましくは、補強部分は、インサートシートまたはブレードポケットの一部分で形成することができる。前記一部分は、ポケット面から延在する側壁とすることができる。
【００８９】
好ましくは、工具ヘッドに近接する高さ寸法は、工具シャンク高さの少なくとも半分である。より好ましくは、少なくとも工具シャンク高さに等しい。補強部分高さＨＲに関して、これは、工具ヘッドに近接して、補強部分高さＨＲが、工具シャンク高さＨＳの少なくとも１．５倍（ＨＲ≧１．５ＨＳ）、好ましくは、ＨＲ≧２ＨＳに等しいことを意味する。
【００９０】
工具ホルダの凹面は、工具シャンクの前方から工具ヘッドの最前点まで延在することができる。前方凹面は、ポケット伸長方向に対して垂直に測定されたときに、ポケット開口部からシャンク部分の最上面の高さまでの工具張出し長さを画定することができる。
【００９１】
先の態様と同様に、図面で例示した工具シャンクは、基本的に断面が正方形であるが、そのようなシャンクは断面が円形（すなわち円筒形）のような他の形状であり得ることが理解されるであろう。
【００９２】
先の態様に関連して言及された特徴のいずれも、本態様に組み込むことができることが理解されるであろう。
【００９３】
本発明の第十の態様によれば、前方方向および後方方向を画定するシャンク軸を有する工具シャンクと、工具シャンクに接続され、工具シャンクの前方に延在する工具ヘッドとを備える工具ホルダが提供され、工具シャンクは、シャンク軸に垂直な上向き方向および下向き方向を画定する対向する最上シャンク面および最下シャンク面と、シャンク軸に垂直で、上向き方向および下向き方向に垂直な第一および第二の側面方向を画定する第一および第二のシャンク側面とを備え、工具ホルダは、工具ヘッド上に部分的に形成され、工具ヘッドの後方に延在するインサートシートまたはブレードポケットをさらに備える。
【００９４】
換言すれば、タレットまたは機械によって保持されるシャンク部分と、ワークピースに近接して、ワークピースを機械加工する突切りブレードまたは切削インサートを支持するための工具ヘッドとを有する工具ホルダは、工具ヘッドの後方に延在するようにサイズ決めされた突切りブレードまたは切削インサートと組み合わせて、これまで知られていない切削深さが比較的深いコンパクトな工具アセンブリを提供する。
【００９５】
本発明の第十一の態様によれば、ブレードポケットを備える工具ホルダが提供され、このブレードポケットは、ポケット面と、１つまたは複数の側壁とを備え、この工具ホルダは、ポケット面に沿って位置する弾性付勢要素をさらに備え、工具当接面の１つに向かう付勢力、または２つの工具当接面が収束する領域に向かう付勢力を提供するように構成される。
【００９６】
本発明の第十二の態様によれば、対向する第一および第二の側面と、第一および第二の側面を接続する周縁と、周縁に沿って形成され、周方向に間隔をあけた複数のインサートシートとを備える回転対称の突切りブレードが提供され、各インサートシートは、それに関連する単一のブレードクーラント通路のみを有し、各クーラント通路は、突切りブレードの中心に近接するブレード入口開口部から延在するが、そこからオフセットして、インサートシートで、またはインサートシートに向かって開口するブレード出口開口部まで延在する。
【００９７】
好ましくは、ブレード出口開口部は、関連するインサートシートによって保持される切削インサートのすくい面の上方に向けられるように構成される。
【００９８】
本発明の第十三の態様によれば、工具ホルダ、突切りブレード、および切削インサートを備える切削工具アセンブリが提供され、工具ホルダは、その中に延在する少なくとも１つの穴を有するポケット面を備え、突切りブレードは、少なくとも１つのインサートシートと、インサートシートに近接し、インサートをインサートシートに排出または取り付けるように構成されたおよび少なくとも１つの穴を備え、突切りブレードが工具ホルダに取り付けられると、締結具が、突切りブレードの少なくとも１つの穴を通って延在し、ポケット面の少なくとも１つの穴に入って、突切りブレードを工具ホルダに固定するのを助ける。
【００９９】
好ましくは、ポケット面に形成された穴は、ねじ切りされ、締結具は、対応するねじ切りを有するねじである。
【０１００】
好ましくは、突切りブレードに形成された少なくとも１つの穴には、ねじ切りがない。
【０１０１】
１つの好ましい実施形態によれば、突切りブレードは、インサートシートの排出または取り付けのために構成されていない少なくとも１つの追加の穴を備え、突切りブレードは、前記少なくとも１つの追加の穴を通って延在する締結具と、インサートをインサートシートに排出または取り付けるように構成された前記少なくとも１つの穴を通って延在する少なくとも１つの他の締結具とで、工具ホルダに固定される。
【０１０２】
本発明の第十四の態様によれば、工具ホルダと、突切りブレードまたは切削インサートのいずれかを備える工具アセンブリが提供され、工具ホルダは、前方および後方方向を画定するシャンク軸と、シャンク軸に垂直な一定の断面形状とを有する工具シャンクと、工具シャンクに接続され、工具シャンクの前方に延在し、シャンク部分に異なる断面を備える工具ヘッドとを備え、インサートシートまたはブレードポケットは、工具ヘッド上に少なくとも部分的に形成され、突切りブレードまたは切削インサートがインサートシートまたはブレードポケットに取り付けられるとき、突切りブレードまたは切削インサートの少なくとも一部分は、工具ヘッドの後方に延在する。
【０１０３】
本発明の第十五の態様によれば、工具ホルダと、突切りブレードまたは切削インサートのいずれかを備える工具アセンブリが提供され、工具ホルダは、前方および後方方向を画定するシャンク軸を有する工具シャンクと、工具シャンクに接続され、工具シャンクの前方に延在し、後方を向いた工具ヘッド後面を備える工具ヘッドと、工具ヘッド上に少なくとも部分的に形成され、突切りブレードまたは切削インサートを保持するように構成されたポケットとを備え、突切りブレードまたは切削インサートがポケットに取り付けられると、工具ヘッド後面の後方に延在する。
【０１０４】
本発明の第十六の態様によれば、前述の態様のいずれかによる工具ホルダおよび突切りブレードを備える切削工具アセンブリが提供される。
【０１０５】
以下の特徴は、全ての態様に適用可能であることが理解されるであろう。
【０１０６】
切削工具アセンブリは、切削インサートをさらに備えることができる。切削インサートは、突切りブレード全体よりも幅が広い切削刃を備えることができる。
【０１０７】
工具ホルダは、ポケット面の当接とともに、その周囲に沿ってのみ突切りブレードを保持するように構成することができる。
【０１０８】
突切りブレードの本体は、単一のワンピース構造（すなわち、「本体」という用語は、切削インサートおよび封止装置を除く）であってもよい。
【０１０９】
好ましくは、工具ホルダ（すなわち、シャンク部分および工具ヘッド）は、一体のワンピース構造とすることができる。換言すれば、工具ヘッドは、好ましくは、シャンク部分に一体的に接続される。例えば、ねじで２つの異なるそのような構成要素を一緒に固定することが実現可能であることは理解されるであろう。しかしながら、このような構造は、典型的には、より弱いので、あるいはコンパクトでないので、前記単一のワンピース構造が非常に好ましい。
【０１１０】
突切りブレードは、第一の側面および第二の側面と平行で、第一の側面および第二の側面と等しい間隔で延在する二等分平面を中心として対称とすることができる。
【０１１１】
突切りブレードは、第一の側面および第二の側面の中心を通って、第一の側面および第二の側面に垂直な方向に延在するブレード軸を中心として１８０°の回転対称性を有することができる。
【０１１２】
突切りブレードは、第一および第二の側面に対して垂直に延在し、対向する第一および第二の端部エッジの間の中間に位置する横方向平面に対して、ミラー対称性を有することができる。そのような構造は、第一および第二の側面の中心を通って、第一および第二の側面に垂直な方向に延在するブレード軸に関して回転対称でない両端突切りブレードをもたらすことができる。
【０１１３】
突切りブレードの第一および第二の側面は、平面であり得る。特に、平面形状の突切りブレードは、横方向延在部分を有する構成要素よりも、製造が著しく安価である。
【０１１４】
工具ホルダのタレットへの当接部分は、補強部分の表面または工具シャンクの側面のいずれかと、工具シャンクの下面および上面と、工具ヘッドの後面とすることができる。工具ヘッドがタレットに接触することは必須ではないが、より良好な安定性を提供することができることに留意されたい。
【０１１５】
突切りブレードのブレードポケットへの当接部分は、第一および第二の側面のうちの一方と、第一および第二の長手方向エッジの両方と、好ましくは、第一および第二の端部エッジの一方であり得る。
【０１１６】
いかなる疑いも取り除くために、１つの態様に関して言及された上記の特徴のいずれも、その説明されたメリットは別の態様にも明らかに適用可能であり、他の態様と組み合わせることができる。
【０１１７】
例えば、上記の態様のいずれかは、補強部分の特徴およびそれに関連する任意の特徴を含むことができる。
【０１１８】
同様に、全ての突切りブレードは、極めて安定した方法で保持されると考えられる。したがって、特定の厚さ未満（例えば、２．２ｍｍまたは２ｍｍ未満）であることが好ましいそのような突切りブレードの上記の詳細は、全ての突切りブレードに適用可能である。
【０１１９】
同様に、本発明による全ての工具ホルダは、ブレードポケットを備えることができ、続いて、ブレードポケットは、ポケット面および１つまたは複数の側壁とを備えることができる。
【０１２０】
本出願の主題をより良く理解するために、また、それが実際にどのように実行され得るかを示すために、添付の図面を参照する。
【図面の簡単な説明】
【０１２１】
【図１】従来技術の切削工具アセンブリと、ワークピースの概略側面図である。
【図２】図１に示されているものと類似の工具ホルダの中にある従来技術の突切りブレードと、ワークピースの概略側面図である。
【図３】本発明による切削工具アセンブリと、ワークピースの一部分との概略側面図である。
【図３Ａ】本発明による別の突切りブレードの概略側面図である。
【図４Ａ】タレットに取り付けられた図３の切削工具アセンブリの側面図である。
【図４Ｂ】図４Ａの切削工具アセンブリと、タレットとの斜視図である。
【図４Ｃ】図４Ａの切削工具アセンブリと、タレットとの正面図である。
【図４Ｄ】図４Ｃにおいて「ＩＶＤ」とマークされている部分の拡大正面図である。
【図４Ｅ】図４Ａの線ＩＶＥ−ＩＶＥに沿った断面図である。
【図５Ａ】図４Ａの切削工具アセンブリの突切りブレードの斜視図である。
【図５Ｂ】図５Ａの突切りブレードの側面図であり、破線で内部クーラントチャネルを示す。
【図５Ｃ】図５Ｂの突切りブレードの背面図である。
【図５Ｄ】図５Ｂの突切りブレードの正面図である。
【図５Ｅ】図５Ｂの突切りブレードの上面図である。
【図６】本発明による別の切削工具アセンブリの側面図である。
【図７Ａ】本発明によるさらに別の切削工具アセンブリの側面図である。
【図７Ｂ】図７Ａの切削工具アセンブリの分解斜視図である。
【図７Ｃ】図７Ａの切削工具アセンブリの後方斜視図である。
【図８Ａ】図７Ａの切削工具アセンブリの突切りブレードの斜視図である。
【図８Ｂ】図８Ａの突切りブレードの側面図であり、破線で内部クーラントチャネルを示す。
【図８Ｃ】図８Ｂの突切りブレードの背面図である。
【図８Ｄ】図８Ｂの突切りブレードの正面図である。
【図８Ｅ】図８Ｂの突切りブレードの上面図である。
【図９Ａ】図７Ａの切削工具アセンブリの工具ホルダの側面図である。
【図９Ｂ】図９Ａの工具ホルダの背面図である。
【図９Ｃ】図９Ａの工具ホルダの正面図である。
【図９Ｄ】図９Ａの工具ホルダの底面図である。
【図９Ｅ】図９Ａの工具ホルダの上面図である。
【図１０Ａ】図７Ａの切削工具アセンブリのクランプの斜視図である。
【図１０Ｂ】図１０Ａのクランプの側面図である。
【図１０Ｃ】図１０Ａのクランプの背面図である。
【図１０Ｄ】図１０Ａのクランプの底面図である。
【図１１Ａ】図７Ａの切削工具アセンブリの側面図である。
【図１１Ｂ】図１１Ａの切削工具アセンブリの背面図である。
【図１１Ｃ】図１１Ａの切削工具アセンブリの正面図である。
【図１１Ｄ】図１１Ａの切削工具アセンブリの底面図である。
【図１１Ｅ】図１１Ａの切削工具アセンブリの上面図である。
【図１２Ａ】本発明による別の工具ホルダの側面図である。
【図１２Ｂ】図１２Ａの工具ホルダの斜視図である。
【図１３Ａ】本発明による別の切削工具アセンブリの側面斜視図である。
【図１３Ｂ】図１３Ａの切削工具アセンブリの別の分解側面斜視図である。
【図１３Ｃ】図１３Ａの切削工具アセンブリの側面図である。
【図１３Ｄ】図１３Ａの切削工具アセンブリの底面図である。
【図１３Ｅ】図１３Ａの切削工具アセンブリの上面図である。
【図１４Ａ】本発明による別の切削工具アセンブリの側面斜視図である。
【図１４Ｂ】図１４Ａの切削工具アセンブリの別の側面斜視図であり、ハッチングで示される例示的なオプションも示す。
【図１４Ｃ】図１４Ａの切削工具アセンブリの側面図である。
【図１４Ｄ】図１４Ａの切削工具アセンブリの背面図である。
【図１４Ｅ】図１４Ａの切削工具アセンブリの正面図である。
【図１４Ｆ】図１４Ａの切削工具アセンブリの底面図である。
【図１４Ｇ】図１４Ａの切削工具アセンブリの上面図であり、ハッチングで図１４Ｂに示される例示的なオプションも示す。
【図１５Ａ】本発明による別の切削工具アセンブリの側面斜視図である。
【図１５Ｂ】図１５Ａの切削工具アセンブリの別の側面斜視図である。
【図１５Ｃ】図１５Ａの切削工具アセンブリの側面図である。
【図１５Ｄ】図１５Ａの切削工具アセンブリの背面図である。
【図１５Ｅ】図１５Ａの切削工具アセンブリの正面図である。
【図１５Ｆ】図１５Ａの切削工具アセンブリの底面図である。
【図１５Ｇ】図１５Ａの切削工具アセンブリの上面図である。
【図１６Ａ】本発明による突切りブレードの斜視図である。
【図１６Ｂ】図１６Ａの突切りブレードの側面図である。
【図１６Ｃ】図１６Ｂの突切りブレードの背面図である。
【図１６Ｄ】図１６Ｂの突切りブレードの正面図である。
【図１６Ｅ】図１６Ｂの突切りブレードの上面図である。
【図１７】工具ホルダに取り付けられた図１６Ａの突切りブレードの斜視図であり、工具ホルダは、続いて、アダプタに取り付けられている。
【図１８Ａ】別の突切りブレードの側面図である。
【図１８Ｂ】図１８Ａの突切りブレードの上面図である。
【図１８Ｃ】図１８Ａの突切りブレードの底面図である。
【図１９Ａ】図１８Ａの突切りブレードを保持するように構成された工具ホルダの側面図である。
【図１９Ｂ】図１９Ａの工具ホルダの背面図である。
【図１９Ｃ】図１９Ａの工具ホルダの正面図である。
【図１９Ｄ】図１９Ａの工具ホルダの底面図である。
【図１９Ｅ】図１９Ａの工具ホルダの上面図である。
【図２０Ａ】図１８Ａの突切りブレードおよび図１９Ａの工具ホルダと、ねじ、クーラント封止装置、付勢要素および切削インサートを含む工具アセンブリの側面図である。
【図２０Ｂ】図２０Ａの工具アセンブリの背面図である。
【図２０Ｃ】図２０Ａの工具アセンブリの正面図である。
【図２０Ｄ】図２０Ａの工具アセンブリの底面図である。
【図２０Ｅ】図２０Ａの工具アセンブリの上面図である。
【図２１Ａ】別の突切りブレードの側面図である。
【図２１Ｂ】図２１Ａの突切りブレードの正面図である。
【図２１Ｃ】図２１Ａの突切りブレードの背面図である。
【図２２Ａ】図２１Ａの突切りブレードを保持するように構成された工具ホルダの側面図である。
【図２２Ｂ】図２２Ａの工具ホルダの背面図である。
【図２２Ｃ】図２２Ａの工具ホルダの底面図である。
【図２２Ｄ】図２２Ａの工具ホルダの上面図である。
【図２３Ａ】図２１Ａの突切りブレードおよび図２２Ａの工具ホルダと、ねじおよび切削インサートを含む工具アセンブリの正面斜視図である。
【図２３Ｂ】図２３Ａの工具アセンブリの背面斜視図である。
【図２３Ｃ】図２３Ａの工具アセンブリの側面図である。
【図２３Ｄ】図２３Ｃの工具アセンブリの側面図で示されているのとは、反対側の側面図である。
【図２４Ａ】突切りブレードおよび工具ホルダと、ねじおよび切削インサートを含む工具アセンブリの側面図であり、破線は工具ホルダの反対側を示す。
【図２４Ｂ】図２４Ａの工具アセンブリの背面図である。
【図２４Ｃ】図２４Ａの工具アセンブリの正面図である。
【図２４Ｄ】図２４Ａの工具アセンブリの底面図である。
【図２４Ｅ】図２４Ａの工具アセンブリの上面図である。
【発明を実施するための形態】
【０１２２】
図３を参照すると、金属ワークピース６２を突切りするように構成された切削工具アセンブリ６０が示されており、この図について、本発明による突切りブレードの全体的なコンセプトの基本的な理解のために一般的に説明する。
【０１２３】
切削工具アセンブリ６０は、工具ホルダ６４と、工具ホルダ６４に取り付けられ、単一の切削インサート６８を保持するように構成された突切りブレード６６とを備える。
【０１２４】
図４Ｅも参照すると、工具ホルダ６４は、前方方向ＤＦおよび後方方向ＤＲ（図３）を画定するシャンク軸ＡＳ（図３）を有する工具シャンク７０を備える。
【０１２５】
工具シャンク７０は、上向き方向ＤＵおよび下向き方向ＤＤを画定し、対向する最上シャンク面７４および最下シャンク面７６を備え、第一および第二の側面方向ＤＳ１、ＤＳ２を画定する第一および第二のシャンク側面７８、８０をさらに備える。第一のシャンク側面７８は、タレット凹部８２内にあると考えられ、第一の側面方向ＤＳ１における材料８４の延長部は、補強部分８６の一部と考えられることが理解されるであろう。しかしながら、第一および第二の側面方向ＤＳ１、ＤＳ２を画定することを目的として、補強部分８６の外面８８を使用することができる。
【０１２６】
工具ホルダ６４は、突切りブレード６６がクランプ９４を介してクランプされるブレードポケット９２を備える工具ヘッド９０をさらに備える。また、工具ヘッド９０は、典型的には、ワークピース６２のための空間を提供する凹状前面９５を備えることができる。
【０１２７】
特に、補強部分８６は、工具ヘッド９０と工具シャンク７０とを接続して、それらの間の剛性を高める。
【０１２８】
例えば、図３Ａの例示的な突切りブレード６６は、図３の前述の例と同様に、突切りブレード６６の基本伸長方向ＤＥに沿って延在する長手方向軸Ｌを有する。この実施形態（図３）では、基本伸長方向ＤＥは、シャンク軸ＡＳに対して垂直である。基本伸長方向ＤＥは、切削インサート６８のすくい面７２に対しても垂直である。
【０１２９】
最上シャンク面７４は、切削刃９６およびワークピースＣの中心と整列している。
【０１３０】
図４Ａを参照すると、標準的な機械は、典型的には、図示されたＸ方向（シャンク軸ＡＳと平行である）に沿ってタレット９８を移動させることができ、図示されたＹ方向に沿って移動させることはできない。したがって、切削工具アセンブリ６０（または以下に示される他の工具アセンブリ）の張出しまたは高さは、（少なくとも、本発明が最も有益である前記標準的な機械については）変えることができない。換言すれば、切削工具アセンブリ６０は、突切りブレード６６が単一の位置にのみ取り付けられるように構成される。しかし、本発明は、いずれの場合にも、Ｘ方向およびＹ方向の両方向の移動能力を有する機械に使用できることに留意されたい。それにもかかわらず、そのような構造によって、限定された軸を有する標準的な機械でも、図示された向きを有する突切りブレード６６での機械加工が可能になる。
【０１３１】
図４Ａ〜図４Ｅを参照すると、切削工具アセンブリ６０は、タレット９８に取り付けることができる。より正確には、工具シャンク７０は、タレットクランプ１００でタレット凹部８２にクランプされる。タレットクランプ１００は、テーパ形状を有し、２つのタレットクランプねじ１０２は、工具シャンク７０に、下方くさび止め力を発生させる。
【０１３２】
図４Ｅに示されるように、補強部分８６は、タレット凹部８２の外側（すなわち、第一の側面方向ＤＳ１）に延在し、そこから下向き方向ＤＤにも延在する。
【０１３３】
図３において、補強部分８６は、シャンク後端１０４に近づくにつれて、サイズが小さくなることが分かる。
【０１３４】
補強部分は、対向する第一および第二の補強部分側部１０６、１０８を含む。工具シャンク７０と第二の補強部分側部１０８との間には、タレット側面１１２から最下面７６に隣接する補強部分側部１０８の一部分を離間させる逃げ部分１１０が形成されている。
【０１３５】
シャンク幅は、第二のシャンク側面８０がタレット凹部８２の内壁１１４に接触しないような寸法とされる。このように、本実施形態では、第二の補強部分側部１０８がタレット側面１１２に当接している。しかしながら、反対の配置、すなわち第二のシャンク側面８０が内壁１１４に接触するように設計することも実現可能である。
【０１３６】
図４Ｄに最もよく示されるように、切削刃９６は、突切りブレード厚ＴＢよりも広い切削刃幅ＷＣを有し、この切削刃幅は、この非限定的な例では、突切りブレード６６全体の幅である。
【０１３７】
図３は単純な例であるが、同様の構造の突切りブレード１１６は、４つのインサートシート１１８Ａ、１１８Ｂ、１１８Ｃ、１１８Ｄを有し得ることが、図３Ａから理解され得る。
【０１３８】
図５Ａ〜図５Ｅを参照して、突切りブレード１２０をより詳細に説明する。
【０１３９】
突切りブレード１２０は、第一および第二の側面１２２Ａ、１２２Ｂと、第一および第二の長手方向エッジ１２４Ａ、１２４Ｂと、対向する第一および第二の端部エッジ１２６Ａ、１２６Ｂとを備える。
【０１４０】
図５Ａおよび図５Ｅに示されるように、第一および第二の長手方向エッジ１２４Ａ、１２４Ｂは、テーパ形状を有する。
【０１４１】
この例では、基本伸長方向ＤＥは、第一および第二の長手方向エッジと平行である。
【０１４２】
第一および第二のインサートシート１２８Ａ、１２８Ｂは、それぞれ、第一の長手方向エッジ１２４Ａおよび第一の端部エッジ１２６Ａと、第二の長手方向エッジ１２４Ｂおよび第一の端部エッジ１２６Ａとに関連している。
【０１４３】
インサートシートは同一であるので、第一のインサートシート１２８Ａのみを詳細に説明する。
【０１４４】
第一のインサートシート１２８Ａは、互いに対向する位置にインサート受容ギャップ１３２を形成する第一および第二のインサート顎１３０Ａ、１３０Ｂを含む。インサート受容ギャップ１３２は、この例では指定された方向ＤＧに対応する第一の端部エッジ１２６Ａに向かう方向に開くように示されている。インサート受容ギャップ１３２は、第一および第二のインサート顎１３０Ａ、１３０Ｂの中間を通過し、第一の端部エッジ１２６Ａによって画定される仮想平面ＰＥと交差するギャップ軸ＧＡを有する。
【０１４５】
第一のインサートシート１２８Ａは、第一の長手方向エッジ１２４Ａの第一の長手方向エッジ末端に形成された下部シート当接面１３４Ａと、第一の端部エッジ１２６Ａの第一の端部エッジ末端によって形成された後部シート当接面１３４Ｂとを有するようにさらに構成される。図５Ｄの側面図で最もよく分かるように、ギャップ軸ＧＡは、後部シート当接面１３４Ｂと平行である。また、図５Ａ〜図５Ｅに見られる実施形態では、ギャップ軸ＧＡは、長手方向軸Ｌに実質的に平行である。第一のインサートシート１２８Ａは、後部シート当接面１３４Ｂと平行な更なる当接面１３４Ｃを備えることに留意されたい。有利なことに、下部シート当接面１３４Ａおよび後部シート当接面１３４Ｂは、両方ともテーパ形状で形成することができ、更なる当接面１３４Ｃは、テーパ形状でなくてもよい。
【０１４６】
突切りブレード１２０は、好ましくは、内部クーラント構造をさらに備えることができる。視認性を高めるために、第二のインサートシート１２８Ｂと同一のクーラント構造を参照すると、クーラント構造は、ブレード入口開口部１３６と、突出部分１４０に位置する第一のブレード出口開口部１３８と、それらの間に延在する第一のブレード通路１４２とを備えることができる。クーラント構造は、第二の長手方向エッジ１２４Ｂに位置する第二のブレード出口開口部１４４と、ブレード入口開口部１３６から第二のブレード出口開口部１４４に延在する第二のブレード通路１４６とをさらに備えることができる。特に、単一のブレード入口開口部１３６は、第一および第二の出口開口部１３８、１４４の両方にクーラントを供給することができる。
【０１４７】
クーラント構造は、封止装置１５０（図７Ｂ）がブレード入口開口部１３６を封止できるように、ブレード入口開口部１３６に関連した封止穴１４８を設けることができる。
【０１４８】
ブレード厚さ寸法ＴＢは、突切りブレード１２０の最小寸法である。
【０１４９】
ブレード幅寸法ＷＢは、ブレード厚さ寸法ＴＢより大きい。
【０１５０】
ブレードの長手方向寸法（最大ブレード長さとも呼ばれる）ＬＢは、突切りブレード１２０の最大寸法である。
【０１５１】
シャンク長さＬＳが示されている。
【０１５２】
図６を参照して、例示的な斜め突切りブレードの構造は、詳述されない。その一般的な構造は、長手方向エッジ１２４Ａがインサートシート１２８Ａの下に延在することを除いて、先の実施形態と同様である。切削力ＦＣは、シャンク軸ＡＳに対して垂直には延びず、むしろ、概ね斜めである（異なる要因によって変化するが）ことが理解されるであろう。また、上述したように、工具ヘッド９０は、このような斜め構造によって、よりコンパクトに作ることができる。例えば、「１５２」と指定された領域から材料を除去することができる。
【０１５３】
したがって、図６の実施形態は、図３の垂直突切りブレードの配置よりも有利であると考えられる。斜角Θが好ましいことは、上で詳述されている。
【０１５４】
図７Ａは、直交サブエッジ１５４（すなわち、シャンク軸ＡＳに対して基本的に直交する）が切削インサート１６８の直下に設けられていることを除いて、ほぼ同一の構造の突切りブレード１６６を提供する。図６に示されるものと同様の斜めサブエッジ１５６は、直交サブエッジ１５４から延在することができる。図８Ａ〜図８Ｄに見られる実施形態において、突切りブレード１６６で、ギャップ軸ＧＡは、再度、後部シート当接面１３４Ｂに実質的に並行である。しかしながら、この実施形態では、ギャップ軸ＧＡは、長手方向軸Ｌに対して鋭角βを形成する。
【０１５５】
このような例では、インサートシート１２８Ａは、第二の長手方向エッジ部１２４Ｂに向かって凹んでいる。これはまた、インサートシート１２８Ａが、第一の長手方向エッジの仮想延長線ＬＥから、第二の長手方向エッジ１２４Ｂに向かう方向ＤＬに離間していると記載することができる。
【０１５６】
ここで、図７Ａ〜図１１Ｅに示す切削工具アセンブリ１５８について説明する。
【０１５７】
切削工具アセンブリ１５８は、突切りブレードに関連して上述された斜め突切りブレード構造が設けられていることを除いて、図３に示されているものと概ね類似している。
【０１５８】
図７Ｂを参照すると、切削工具アセンブリ１５８は、工具ホルダ１６４と、工具ホルダ１６４に取り付けられ、切削インサート１６８を保持するように構成された突切りブレード１６６とを備える。
【０１５９】
工具ホルダ１６４は、工具シャンク１７０と、突切りブレード１６６がクランプ１９４および関連ねじ１９６を介してクランプされるブレードポケット１９２を備える工具ヘッド１９０とをさらに備える。
【０１６０】
クランプは、突切りブレード１６６をクランプするためのテーパ付き側面１９５（図１０Ｄ）を有する。
【０１６１】
補強部分１８６は、工具ヘッド１９０と工具シャンク１７０とを接続する。
【０１６２】
工具ヘッド１９０は、そのヘッド側面２０８に配置されたブレードポケット１９８をさらに備える。ブレードポケット１９８は、上向き方向に開口するポケット開口部を形成した周壁２１０を備えている。
【０１６３】
周壁２１０は、ポケット開口部２１４を延在する２つの側壁部分２１２Ａ、２１２Ｂを備えることができる。この例における側壁部分２１２Ａ、２１２Ｂは、ポケット開口部２１４から下向き方向および後方方向（図９Ａ）に延在している。
【０１６４】
周壁２１０は、ポケット開口部２１４の反対側に位置するストッパ壁部分２１６をさらに備えることが好ましい。
【０１６５】
図１１Ａには、側壁部分長さＬＳＷおよびストッパ長さＬＳＴが示されている。
【０１６６】
ブレードポケット１９８は、ポケット面２１８をさらに備える。ポケット面は、工具ホルダ出口開口部２２０で形成することができる。この例では、工具ホルダ出口開口部２２０は、Ｏリング２２２を受け入れる凹部２２１を備えて構成される。
【０１６７】
封止装置１５０は、ねじ切りねじ２００と、環状封止要素２０２と、リング２０４とを備えるが、一体の構成要素であってもよい。ねじ切りねじ２００は、部分的ねじ切りシャンク部分に接続されたねじ頭部を有する。
【０１６８】
ねじ切りねじは、ポケット面２１８に形成されたねじ穴２０６と螺合するためのみに構成される。これにより、ねじ切りねじ２００は、突切りブレードに形成された穴を通過し、その穴に螺合することがない。言い換えれば、突切りブレードは、通過するねじのシャンク部分と螺合するように構成されたねじ穴を伴わない。
【０１６９】
図９Ｂには、シャンク高さＨＳと、補強部分幅ＨＷと、補強部分高さＨＲとが示されている。シャンク高さＨＳおよび補強部分高さＨＲは、両方とも、上向き方向および下向き方向に平行で、シャンク軸に垂直に測定可能であるのに対し、補強部分幅ＨＷは、上向き方向および下向き方向、ならびにシャンク軸に対して垂直に測定可能である。工具ヘッドに近接する補強部分高さＨＲは、シャンク高さＨＳよりも高い。シャンク高さＨＳは、補強部分幅ＨＷよりも大きい。したがって、補強部分は、上向き方向および下向き方向、ならびにシャンク軸に平行な平面内にブレード形状を有すると記載することができる。この形状は、図９Ｂに関連して説明されているが、一般に、工具ホルダの全ての実施形態にとって好ましいことが理解されるであろう。
【０１７０】
図１２Ａおよび図１２Ｂを参照すると、代替的な工具ホルダ２２４が示されている。この例では、クランプ２２６は、工具シャンク２２８から遠位側に配置され、工具ホルダ２２４の前部でクランプアクセスを可能にする。
【０１７１】
図１３Ａ〜図１３Ｅは、本発明の態様のいずれかに組み込むことができる追加の特徴を備える切削工具アセンブリ２３０を示す。例えば、補強部分２３４は、工具ヘッド２３２に隣接して最大寸法を有するように設計されている。例えば、工具ヘッド２３２に隣接する補強部分２３４の第一のパーツ２３６は、最大サイズを有する。これに続いて、隣接部分２３８でサイズが小さくなる。最後に、「２４０」で示される領域では、目立つ補強部分２３４は見えない。
【０１７２】
同様に、工具ヘッド２３２は、テーパ形状２４２を有するので、狭い領域へのアクセスが可能になり、構造に必要な材料を減らすことができる。
【０１７３】
最後に、細長い封止穴２４４が例示され、微調整のために多少の柔軟性を有するねじ穴２０６への接続を可能にする。
【０１７４】
図１４Ａ〜図１４Ｇを参照すると、別の切削工具アセンブリ２４６が示されている。切削工具アセンブリ２４６は、工具ホルダ２４８と、割出し可能な突切りインサート２５０とを備える。このようなアセンブリに対しても、工具シャンク２５４から延びる補強部分２５２が安定性を増大させることが見出されている。好ましくは、図１４Ｆに示されるように、切削インサート２５２および補強部分２５２は、先の実施形態と同様に、図示されるような同じ平面に沿って整列される。
【０１７５】
特に、図１４Ａのポケットの周壁は、上向き方向だけでなく前方方向にも開いている。したがって、周壁は、後方および下方から切削インサートまたはブレードを支持する。周壁の支持は、切削インサートまたはブレードの高さの大部分に沿って延在するので、ブレードの上端は後方から支持されないので、図示の細長いブレードの実施形態におけるよりもさらに多くの支持が存在することが予想される。
【０１７６】
換言すれば、インサートまたはブレードのタイプにかかわらず、工具ホルダが補強部分を有することは、上記の態様のいずれかにとって有利な特徴であると考えられる。
【０１７７】
同様に、インサートまたはブレードの種類にかかわらず、ブレードポケットまたはインサートシートは、有利には、ポケット面の最下側および最後側のみに側壁部分を備え、突切りブレードまたは切削インサートを後方および下方から支持することができる。
【０１７８】
さらに、図１４Ｂおよび図１４Ｇには、追加のオプションの特徴が示されている。ハッチング（単にこの構成要素を区別するために、断面図を示すためではない）で示されているのは、追加の補強部分２５３である。他の実施形態に示される補強部分と同様に、シャフトから上方に（すなわち、タレットに沿って同様に）延在する補強部分によって、追加の構造強度を提供することもできることに留意されたい。最も有益な構成は、下方に延在する補強部分であると考えられるが、補強部分がシャフトから下方および上方の両方に延在するか、または他の実施形態で示されるように下方にのみ、または上方にのみ延在する（図示せず）ことが、確かに実現可能な構成である。これは、本発明の任意の工具ホルダに適用することができることが理解されるであろう。図示されている概略的に上方に延在する追加の補強部分２５３は、補強部分２５２と比較して比較的短いが、このサイズは、単に例示目的のために示されているに過ぎないことに留意されたい。それにもかかわらず、単一の補強部分（例えば、シャフトから下方にのみ延びる）は、製造工程が少なく、より小さな初期ワークピース（そこから工具ホルダが作られる）を必要とし、最も好ましいオプションである。
【０１７９】
図１５Ａ〜図１５Ｇを参照すると、別の切削工具アセンブリ２５６が示されている。切削工具アセンブリ２５６は、工具ホルダ２５８と、旋削インサート２６０とを備える。補強部分２６２が安定性を増大させることは、このようなアセンブリに対してさえも見出されている。
【０１８０】
図１６Ａは、図８Ｃに示されるものと若干の類似した構造を有する突切りブレード３２０を示す（例えば、任意であるが好ましい第一の直交サブエッジ３２１Ａを有し、より重要なことに、直交サブエッジ３２１Ａから延びる斜めサブエッジ３２５Ａを有する。この例における斜めサブエッジ３２５Ａは、第一の平行なサブ部分とも呼ばれる）。
【０１８１】
特に、突切りブレード３２０が例示されている主な追加は、非線状（曲がった、または湾曲した）細長いブレードである。以下に説明されるような他の全ての特徴（例えば、２つではなく、各端部に中央に配置された単一のインサートシートと、インサートシートおよび斜めサブエッジと、その向きとの関係）は、本発明による全ての突切りブレードに等しく適用可能である。
【０１８２】
図１６Ａ〜図１６Ｅを参照して、突切りブレード３２０をより詳細に説明する。
【０１８３】
突切りブレード３２０は、第一および第二の側面３２２Ａ、３２２Ｂと、第一および第二の長手方向エッジ３２４Ａ、３２４Ｂと、対向する第一および第二の端部エッジ３２６Ａ、３２６Ｂとを備える。
【０１８４】
第一および第二の長手方向エッジ３２４Ａ、３２４Ｂは、図示のようにテーパ形状を有することができる。
【０１８５】
第一および第二の長手方向エッジ３２４Ａ、３２４Ｂは、それぞれ第一の平行なサブ部分３２５Ａ、３２５Ｂおよび第二の平行なサブ部分３２７Ａ、３２７Ｂを有する。特に、突切りブレード３２０は、割出し目的のために、ブレード平面ＢＰに対して対称である。
【０１８６】
この例では、突切りブレード３２０と同様に、基本伸長方向ＤＥは、２つの非線形部分を有する。第一の基本伸長方向ＤＥ１は第一の平行なサブ部分３２５Ａ、３２５Ｂと平行であり、第二の基本伸長方向ＤＥ２は第二の平行なサブ部分３２７Ａ、３２７Ｂと平行である。
【０１８７】
単一の第一のインサートシート３２８Ａのみが第一の端部エッジ３２６Ａと関連し、第二の同一のインサートシート３２８Ｂのみが第一の端部エッジ３２６Ａと関連する。
【０１８８】
いずれの場合も前述のインサートシートと同一である第一のインサートシート３２８Ａのみを参照すると、第一および第二のインサート顎３３０Ａ、３３０Ｂと、第二の長手方向エッジ３２４Ｂよりも第一の長手方向エッジ３２４Ａに近いインサートシートの側部に形成された下部座部当接面３３４Ａを備えることに留意されたい。
【０１８９】
本例では、突切りブレード３２０の各端部に単一のインサートシート３２８Ａ、３２８Ｂのみが存在する。これは、より少ないインサートシートをもたらすが、各インサートシートがそれぞれの端縁の中心に向かって凹んでいるので、より強い突切りブレード構造が提供される。換言すれば、インサートシートは、基本的に、突切りブレードの中心（第一および第二の長手方向エッジ３２４Ａ、３２４Ｂの両方から離間している）にある。したがって、直交サブエッジ３２１Ａ、３２１Ｂは、平行な長手方向エッジの一部ではなく、端部エッジの一部とみなされる。
【０１９０】
第一の平行なサブ部分３２５Ａと隣接する第二の平行なサブ部分３２７Ａとの間には、工具ホルダに取りつけられたときの逃げを提供する湾曲逃げ部分３３２を設けることができる。
【０１９１】
この好適な例では、インサートシート３２８Ａは、第一の端部エッジ３２６Ａのみに開口している。しかしながら、このような突切りブレードは、他のインサートシート構造を有することができ、例えば、インサートシートが第一の端部エッジおよび第一の長手方向エッジの両方に開口する構造で、図２に示されるものと同様の構造、あるいは第一の長手方向エッジのみに開口する構造（図示せず）を有することができることが理解されるであろう。
【０１９２】
インサートシートの種類にかかわらず、突切りブレードは、第一のインサートシート３２８Ａに対して、第一の長手方向エッジ３２４Ａの近接部分３２５Ａが下部シート当接面３３４Ａの下に延在するため、有利と考えられる。このように、この突切りブレードは、第一の基本伸長方向ＤＥ１に延在するので有利である。これもまた、突切りブレードに加えられる切削力と本質的に同じ方向であり、結果として、突切りブレードに強い安定性をもたらす。現在、最適な斜めブレード角θ１は、図示のように３０°であるが、他の角度でも良好に動作した。
【０１９３】
安定性に対する別個の独立した利点として、インサートシートは、基本的にブレードの中心にある。
【０１９４】
そのような特徴は、図８Ａ〜図８Ｅに示される線形突切りブレード１６６にも同様に適用可能であることが理解されるであろう。
【０１９５】
突切りブレード３２０は、非線形形状を有するという点で、完全に別個の態様を有する。この態様は、上述の構造的な強度の特徴には関係しないが、突切りブレードを異なる工具ホルダに取り付けることを可能にする。
【０１９６】
例えば、図１７に示されるように、突切りブレード３２０は、従来技術の工具ホルダ３０４（図示されるものは、Ｉｓｃａｒ社からＳＧＴＢＵ  ３２−６Ｇという名称で市販されている）によって保持され得る。
【０１９７】
完全を期すために、工具ホルダ３０４を保持している図示のアダプタ３００は、Ｍａｚａｋ社からアダプタＣ８  ＡＳＨＡ  ５６０８５−３２Ａの名称で市販されている。
【０１９８】
アダプタ３００は、シャンク３０２を有し、シャンクは、ページの中に、すなわち、基本的に、突切りブレード２６６の第一および第二の側面に対して垂直に延びる。ブレードに対して垂直に延びるシャンク３０２の１つの利点は、突切りブレード２６６の後方方向ＤＤに延びるシャンクを有するアダプタ（図示せず）と比較して、張出しが減少することである。しかしながら、このような構造は、アダプタ３００がワークピースに比較的近いため、より制限された切込み深さを有することがある。それにもかかわらず、これは突切りブレードの長さを長くすることによって補償することもできる（しかしながら、突切りブレード自体の張出しが長くなる）。
【０１９９】
加えて、突切りブレード３２０は、当初、非線形突切りブレードを受け入れるように設計されていなかった工具ホルダ６４内にも取り付けられるように構成することもできる。
【０２００】
したがって、例示的な非線形突切りブレードは、従来技術の工具ホルダおよび本発明の新しい工具ホルダの両方に取り付けることができる。
【０２０１】
加えて、非線形突切りブレードは、張出し長さを可変とすることもできる。
【０２０２】
上述の少なくとも１つの追加の当接面は、上顎の当接面（図２に示されるポケットタイプと同様であり、上顎は「３６」と指定され、したがって、少なくとも１つの追加の当接面は、下部シート当接面に対向する）とすることも、あるいは後部シート当接面（図５Ｂに示されるポケットタイプと同様であり、「１３４Ｂ」と指定され、したがって、少なくとも１つの追加の当接面は、基本的に下部シート当接面に垂直である）とすることができる。追加の当接面の正確な向きは重要ではなく、むしろ、典型的には、複数の当接面によってインサートを固定する必要があり、下部シート当接面の位置が、近接部分の相対的な向きを記述するために使用されることが理解されるであろう。また、下部シート当接面は、平坦面以外にすることもでき、また平坦面以外であることも多いが、基本的には、シート平面ＰＳ内にあることが理解されるであろう（図１６Ｂ参照）。シート平面は、基本的に、第一および第二の側面に対して垂直であり、前方方向および後方方向（ＤＦ、ＤＲ）に対して平行である。
【０２０３】
細長い突切りブレードは、線形形状または非線形形状を有することができる。例えば、細長い突切りブレードは、屈曲させることも、あるいは湾曲させることもできる。突切りブレードが屈曲部を備える実施形態において、屈曲部は、ブレードの長さのほぼ中央に位置され得る。好ましくは、屈曲部は、ブレードの長さの正確に中央にすることができ、それによって、ブレードがその中央付近で等しく割り出せるようにすることができる。
【０２０４】
図２４Ａ〜図２４Ｅを参照すると、別の切削工具アセンブリ６００が示される。
【０２０５】
切削工具アセンブリ６００は、図１４Ａ〜図１４Ｆのアセンブリ２４６に類似している。ただし、例示されている五方向に割出し可能で対称的な回転可能なインサート２５０の代わりに、５つのインサートシート６０４を有する五方向に対称的な回転可能で割出し可能な突切りブレード６０２が示されていることを除く。
【０２０６】
工具ホルダ６０６は、工具ヘッド６０９を支持する補強部分６０８が存在し、補強部分６０８と同じ平面に整列されたポケット６１０（および突切りブレード６０２）が存在するという点で、図１４に示されるものと同様である。
【０２０７】
また、図１４Ａと同様に、工具ホルダのポケットの周壁６１２（その当接面は後側壁部分６１４と、ストッパ壁部分６１６の上方と呼ばれるものである。しかしながら、ここでは、両方の壁部分が同じ機能を提供している）は、上向き方向ＤＵだけでなく、前方方向ＤＦにも開いている。完全にするために、ポケット６１０は、ポケット面６１７をさらに備える。
【０２０８】
後側壁部分６１４と、ストッパ壁部分６１６と、ポケット面６１７とは、例示した工具ホルダ６０６の当接面である。換言すれば、突切りブレード６０２は、後側壁部分６１４と、ストッパ壁部分６１６と、ポケット面６１７とのみに当接する。クランプを有する以前の実施形態によるように、工具ホルダ６０６の前端には追加の側壁部分がない。
【０２０９】
このようなタイプのポケット設計の１つの利点は、後方方向ＤＲおよび下向き方向ＤＤの両方において、切削インサート（図１４Ａ）またはブレード（図２４Ａ）を完全に支持することである。言い換えれば、切削力が加えられる方向（例えば、図６の切削力ＦＣの方向を参照）に突切りブレードの張出し部分が存在せず、あるいは支持されていない部分が存在せず、その結果、安定性が改善される。
【０２１０】
したがって、このことは、このような配置が、上述の細長い突切りブレードの実施形態よりもさらに安定であることが分かった１つの理由である。
【０２１１】
最初に述べたように、本発明は、長い張出しのために開発された。より正確には、本発明は、張出し部分または支持されていない部分を有する細長いブレード、または実用的でない巨大な工具アセンブリのいずれかを必要とすると考えられていた、比較的大きな切込み深さのために開発された。
【０２１２】
上述の突切りブレードの好ましい配向を提供するために、比較的大きな工具ヘッド（すなわち、上向き方向および下向き方向の工具シャンクよりも有意に大きい）が必要であった。極めて大きな工具ヘッドの適切な支持を提供するために、補強部分が発明された。
【０２１３】
その後、補強部分は、先に説明したように上述した細長い突切りブレードとは異なっても、インサートおよび追加の突切りブレードにさえ、さらなる安定性を提供することさえ発見された。
【０２１４】
それにもかかわらず、深い切込み深さのための完全に支持された割出し可能な突切りブレードは、スペースの制限のために最初は考えられなかった。実際的に言えば、標準的なタレットまたは機械に適合するのに実用的な工具ヘッドのサイズまたは突切りブレードのサイズには限界がある。したがって、コンパクトさは、依然として市場が要求している。同様に、突出しが増大すると安定性が悪くなり、したがって、機械工は、突出しを最小限に抑えて、機械加工に適したサイズの工具を選択することが常識である。図１および図２に示す工具アセンブリの利点の１つは、切込み深さが浅い用途では、張出し距離を短くさせることができ、その結果、安定性が向上することである。
【０２１５】
本実施形態（例えば、図２４Ａ）は、比較的小さな工具ホルダと比較した場合、細長くない突切りブレード（上述の意味で）が、比較的深い切込みに対して構成可能であるという、新しい発明のコンセプトを示す。
【０２１６】
このことは、下部周壁および後部周壁を有する標準ポケットを、タレットに沿った領域を利用して、工具ヘッドの後方に延長できるという発見によって達成された。
【０２１７】
換言すれば、工具ホルダのポケットは、シャンクの前方に位置する工具ヘッドから、後方方向ＤＲに、工具ヘッドの後面６１８（すなわち、その後面のストッパ面）の後方になるまで延在することができる。したがって、突切りブレード６０２は、タレットの前面（図４Ｄで、「９９」で指定される表面）の後方にも延在することもでき、工具ヘッド６０９および突切りブレード６０２の全体寸法は、ポケット全体が工具ヘッドの後面６１８（より正確には、タレット、ストッパ面に当接するヘッドの部分）の前方に位置する場合よりも、量だけ、タレットの前方にのみ比較的小さく突出することが可能になる。工具ホルダは、後面６１８がタレット前面９９に当接して、それが使用されるまで後方に移動される必要はないが、接触があるか否かにかかわらず、いかなる場合においても後面６１８が工具ヘッド６０９の最小の張出しを画定することは理解されるであろう。
【０２１８】
また、他の突切り工具とは対照的に、本発明の重要な利点は、切削インサートのすくい面の上方（すくい面の真上、または上方および後方）に工具クランプがないことにも留意されたい。したがって、前記すくい面上を通過するチップを妨げる構造はない。
【０２１９】
また、図１および図２に示すような他の可変位置突切り工具とは対照的に、固定突切りブレード位置にはかなりの利点があり、必要なセットアップ時間が短いことにも留意されたい。さらに、このような工具には、一体でない追加のパーツが必要である。本発明では、構成するパーツが非常に少ないことに留意されたい。すなわち、単一の工具ホルダと、標準的なねじによって、その工具ホルダに取り付けられる突切りブレードである（任意選択のクーラント付属品、または以下で論じる付勢要素を含まない）。
【０２２０】
明らかに、追加のメリットとして、補強部分６０８は、付加的な構造強度を与えるために設けられており、関係する突切りブレードのサイズが大きいことに留意すると、より激しい機械加工操作を行うことも可能になるか、あるいは代替的に、通常の機械加工操作において、さらに良好な安定性を提供する。
【０２２１】
実際、本コンセプトは非常に安定していることが分かっており、そのため、切込み深さが浅い加工操作に対しても、工具は優れた安定性および仕上げを提供する。言い換えれば、この工具は比較的コンパクトであり、より小さな工具よりもさらに安定しているので、切込み深さが深い工具動作に使用することができる同じ工具を、深さが浅い工具動作の第一の選択肢とすることもできる。これは、また、既知の突切りブレードの可変深さ調整のメリットがもはや必要でないことを意味する。
【０２２２】
好ましい実施形態は、上に示されたタイプのクランプを使用することではなく、むしろ、例えば、工具ヘッド６０９をよりコンパクトにすることのできる複数のねじ６２０Ａ、６２０Ｂ、６２０Ｃを使用することに留意されたい。好ましくは、ねじ穴（図示せず）は、安定性を最も良くするために、工具ヘッド６０９の凹状面６２２の近くに配置することができる。ねじまたはクランプを配置する正確な数は重要ではないが、明らかに、（例えば、図７Ｂで２１２Ａと指示されるタイプの）前側壁部分も、（図１２Ｂに例示されるような）その位置におけるクランプも、あるいは（図１１Ａに例示されるような）両側におけるクランプもないことによって、よりコンパクトな構造を提供することの助けとなする。
【０２２３】
このメリットは、典型的には、図１４Ａに示されるような切削インサートよりもはるかに大きい突切りブレードで主に有益であると考えられるため、ブレードポケットが例示されているが、原則として、インサートのために同じ工具構造が可能であり、ブレードポケットという名称のみがインサートシートという名称と入れ替えることができる。しかしながら、典型的には、切削インサートは、鋼（ブレードを突切りするために使用される典型的な材料）よりも硬い超硬合金で作られるので、切削インサートを取り付けるためには、典型的には、単一のねじまたはクランプで十分である。
【０２２４】
他の実施形態に関連して既に言及した補強部分６０８の有益な寸法に加えて、現在達成されている工具ホルダおよび／または突切りブレード寸法の差を例示するために、いくつかの関係が説明される。
【０２２５】
後側壁部分６１４は、最後点６２４を有することができる。
【０２２６】
工具ホルダ６０６は、最前点６２８を有することができる。
【０２２７】
ストッパ壁部分６１６は、最下点６２６を有することができる。
【０２２８】
ポケット長さＬＰは、最も後方の当接面（この場合、後側壁部分６１４である）の最後点６２４から、工具ホルダ６０６の最前点６２４まで、シャンク軸ＡＳに対して平行に定義される。本実施形態は、ポケットの壁部分の間に逃げ部分６２５Ａ、６２５Ｂを有するが、これらは、ポケットに取り付けられる突切りブレードのサイズを反映しておらず、したがって、当接面は、ポケットサイズの基準として選択されていることが理解されよう。また、突切りブレードの側面のうちの１つおよび隣接する側壁は、６２７で一緒に指定されているが、これらは、互いにわずかに離間しており、したがって、当接面ではないことに留意されたい。
【０２２９】
ポケット高さＨＰは、最下当接面（この場合、ストッパ壁部分６１６である）の最下点６２６から工具ホルダ６０６の最上点まで、シャンク軸ＡＳに対して垂直に画定される。
【０２３０】
同様に、工具ヘッド長さＬＨは、後面６１８から工具ホルダ６０６の最前点６２４までシャンク軸ＡＳに平行に画定される。
【０２３１】
突切りブレード高さＨｉは、突切りブレード６０２の最下点から突切りブレード６０２の最上点までのシャンク軸ＡＳに対して垂直に画定される。
【０２３２】
工具ホルダ６０６のみに関して、本コンセプトを示すのは、工具ヘッド６０９の長さがポケット６１０の長さよりも短いことである。
【０２３３】
換言すれば、ポケット長さＬＰは、好ましくは、工具ヘッド長さＬＨよりも長く、これによって、切込み深さを深くすることを可能にしながら、有益でコンパクトな工具ヘッド６０９が提供される。
【０２３４】
製造された設計では、ポケット長さＬＰは、工具ヘッド長さＬＨより少なくとも１０％長く、好ましくは２０％以上長い。例えば、所与の例では、ＬＰ／ＬＨ＝１．２６であり、したがって、約２６％長い。上限は、未だ決定されていない。
【０２３５】
同様に、工具アセンブリ６００に関して、本コンセプトを示すのは、工具ヘッド６０９の長さが突切りブレード６０２の長さよりも短いことである。
【０２３６】
示されるように、突切りブレード６０２の対応する長さは、ほぼ同じサイズであるが、突切りブレードがそこから後方に延びるときに、ポケット長さＬＰよりもさらに大きい。換言すれば、好ましくは、突切りブレードの長さ（突切りブレード６０２の最後点からその最前点まで軸ＡＳに沿って画定される）は、工具ヘッドの長さＬＨよりも長く、これによって、切込み深さを深くすることを可能にしながら、有益でコンパクトな工具ヘッド６０９が提供される。
【０２３７】
設計において、製造された突切りブレード長さＬｉは、工具ヘッド長さより少なくとも１０％長く、好ましくは２０％以上長い。
【０２３８】
次の注目すべき関係は、種々の構成要素の高さである。
【０２３９】
第一に、公知の工具アセンブリの安定性は、典型的には断面シャフトサイズに関連するそれらの構造的強度に由来することが理解されるであろう。シャフトは、典型的には、正方形または円形の断面であるので、切削力の大部分が下向き方向ＤＤであることに留意されたい。
【０２４０】
特に、シャフト高さＨＳは、ポケット高さＨＰよりも低く、好ましくは、工具ホルダは、ＨＰ≧１．５ＨＳの条件を、最も好ましくは、ＨＰ≧２ＨＳの条件を満たす。例えば、シャフト高さＨＳが２０ｍｍの場合、ポケット高さは３０ｍｍよりも高いか、または４０ｍｍよりも高いことが好ましい。安定性を提供するために、補強部分は非常に有益であることが理解されるであろう。
【０２４１】
同様に、工具アセンブリ６００に関して、本コンセプトを示すのは、突切りブレード高さＨｉがシャフト高さＨＳよりも低いことである。突切りブレードの高さＨｉは、ポケットの高さＨＰよりもさらに高いことに注意する必要がある。したがって、好ましくは、工具アセンブリは、Ｈｉ≧ｌ．５ＨＳの条件を、そして最も好ましくはＨｉ≧２ＨＳの条件を満たす。
【０２４２】
特に、示された設計は、共通のシャフト高さ（１９ｍｍ〜３２ｍｍ）に適しており、これは、他の全ての寸法が同じままであり、シャフト高さ（および通常は正方形の断面の場合の幅）のみが変更されることを意味する。
【０２４３】
特に、工具ヘッドに少なくとも直接的に隣接する補強部分高さＨＲは、シャフト高さＨＳの寸法の約２〜３倍である。
【０２４４】
本コンセプトではねじを使用するので、ねじがポケット面に対して突切りブレードを付勢するので、ポケットの壁部分をテーパにすることは必須ではないことに留意されたい。その理由は、ねじがポケット面に対して突切りブレードを付勢するからであり、テーパエッジがもはや必要とされないため、突切りブレードの製造ステップが少なくなるからである。
【０２４５】
一方、テーパエッジによって、ねじの使用を少なくすることが可能になり、他の利点として、したがって、テーパエッジを突切りブレードおよび壁部分に組み込むことも実現可能である。
【０２４６】
次に、図１８Ａ〜図２０Ｅを参照すると、さらに別の切削工具アセンブリ４００が示される。さらに、図２４Ａ〜図２４Ｅに示す五インサートシート突切りブレード６０２の開発に関して、四インサートシート突切りブレード４０２は、インサートシート４０８が１つ少ないために、突切りブレード４０２の工具寿命が比較的短くなっても、さらにコンパクトな工具ホルダ４０４が可能になり、優れた安定性を示すことが発見された。
【０２４７】
追加として、開発中に、他の形状の突切りブレードに適用できる更なる独特の特徴が開発された。
【０２４８】
図１８Ａ〜図１８Ｃを参照すると、各インサートシート４０８の隣には、当該技術分野で公知のインサートの挿入または排出のためのブレード穴４１０が存在する。しかしながら、これらの特定のブレード穴４１０は、図２０Ａに示されるようなねじ収容穴であるという二重の機能を果たすように拡大されている。これによって、突切りブレード４０２の構造強度をより強化し、穴の数をより少なくすることができる。
【０２４９】
他の実施形態と同様に、ブレード入口開口部４１２は、封止穴４１４に隣接している。封止穴４１４は、好ましくは、上述の利点のために、ねじなしである。内部ブレード通路４１６は、概略的に示されており、ブレード入口開口部４１２からブレード出口開口部４１８まで延在することができる。必要に応じて、ブレード入口開口部４１２を封止するために、上述したものと同様の、または任意の所望の構造の封止装置４１７（図２０Ａ）を設けることができる。
【０２５０】
突切りブレード４０２は、中央の突切りブレード軸ＡＰの周りで四方向割出し可能である。単一のブレード通路４１６のみが検討され、図示されているが、このような通路は４つあることが理解されるであろう。
【０２５１】
特に、本実施形態に回転可能な対称性があり、またブレード入口開口部４１２が突切りブレード軸ＡＰから離間していることによって、各インサートシート４０８に対して、単一のブレード通路４１６およびブレード出口開口部４１８のみが提供される。唯一の出口開口部４１８として。
【０２５２】
好ましくは、周縁は、各インサートシート４０８の間に延在する直線または実質的に直線の軸受面（すなわち、図１８Ａなどの突切りブレードの側面図）を備える。
【０２５３】
図１９Ａ〜図１９Ｂを参照すると、工具ホルダ４０４は、以下の注目すべき特徴を除いて、上述したものと同様である。
【０２５４】
単一のＯリング４２８と、好ましくは細長い関連する溝４３０とが、製造を簡単にするために、ねじ切り工具穴４３２と工具ホルダ出口開口部４３４との両方を取り囲んでいる。
【０２５５】
付勢穴４３６は、付勢要素４３８（図２０Ａ）のために設けることができる。有利には、付勢穴４３６は、突切りブレード４０２に既に設けられた穴に対応する位置に配置される。最適には、そのような穴は、突切りブレード４０２が単一の付勢方向ＤＢ（図２０Ａ）に、すなわち、工具当接面（すなわち、側壁部分４４０、４４２）が収束するところに向かって付勢され得るように、中央突切りブレード軸ＡＰの近くにある。例えば、穴は、好ましくは、ブレード入口開口部４１２か、またはこの例のように、封止穴４１４のいずれかである。付勢方向は、２つの当接面の間に直接あることが好ましいが、両方に向かう部分的な力が少なくとも存在する限り、付勢方向は、どちらか一方に、わずかに偏っていてもよいことが理解されるであろう。
【０２５６】
詳述すると、任意であるが、好ましくは、突切りブレード４０２を工具ホルダ４０４上のねじ４３７Ａ、４３７Ｂ、４３７Ｃを介して取り付け位置に固定する前に、それがクランプ位置に付勢されることが有益である。
【０２５７】
所望の付勢を提供する１つの一般的な方法は、突切りブレードを付勢方向ＤＢに付勢するように、ねじ穴の少なくとも１つをずらした位置に設計することである。
【０２５８】
この好ましい方法では、弾性要素とすることもできる付勢要素４３８を利用する。この例では、Ｅｒｗｉｎ  Ｈａｌｄｅｒ  ＫＧ社から「横方向プランジャ」（指定番号：ＥＨ  ２２１５）の名称で市販されており、これが、付勢穴４３６を介してポケット面４４４に固定されている。当然、このような付勢は、完全に任意であるが、好ましい。
【０２５９】
最後に、側壁部分４４０、４４２は、互いにほぼ直角に配向される。逃げ溝４４８が側壁部分４４０、４４２に隣接して設けられており、これにより、突切りブレード４０２の周縁４２６を平坦にすることができ（すなわち、面取りまたはテーパなしに設けることができ）、こうして、その製造ステップを減らすことができる。
【０２６０】
完全にするために、ポケット面４４４には、複数（好ましくは少なくとも３つ）のねじ切り工具穴４５０Ａ、４５０Ｂ、４５０Ｃが設けられていることに留意されたい。
【０２６１】
一般的に言えば、本発明の別個に発明された態様は、切削インサート４２２の排出または挿入のために構成された各インサートシート４０８に隣接するブレード穴４１０を有する突切りブレード４０２と、ブレード穴４１０の位置に対応する位置にねじ切り工具穴を有する工具ホルダ４０４とを備える工具アセンブリ４００であることに留意されたい。
【０２６２】
ここで、図２４Ａ〜図２４Ｅにおける工具アセンブリ６００に関連して詳述された利点と同様の利点を説明する。
【０２６３】
工具ホルダ４０４は、工具ヘッド４５４を支持する補強部分４５２を備え、ポケット４５６（および突切りブレード４０２）は、補強部分４５２と同じ平面内に整列される。
【０２６４】
特に、ポケット４５６は、工具ヘッドの後面４５８の後方に延在する。特に、一方の工具当接面の少なくとも一部分、具体的には、この例では後部工具当接面４４０の少なくとも一部分が補強部分４５２上に形成されている。
【０２６５】
換言すれば、補強部分４５２は、付加的な構造的支持としてだけでなく、工具ポケット４５６の一部としても設けることができることが分かった。このことは、そのような設計が補強部分の材料の一部を除去し、それによって補強部分を弱めることを含むという点で直感に反することがあるが、これは全体的に有利であることが分かってきた。
【０２６６】
一般的に言えば、本発明の別個の発明の態様は、シャンクと工具ヘッドとを接続する補強部分が、ポケットの少なくとも一部分を含むことができることに留意されたい。
【０２６７】
特に、ポケット４５６の大部分は、好ましくは、工具ヘッドの後面４５８の前方に延在することができる。工具ヘッド４５４は、突切りブレード４０２のための重要な支持を提供できることに留意されたい。
【０２６８】
有利には、ねじ切り工具穴４５０Ａ、４５０Ｂ、４５０Ｃのいずれも、比較的薄い補強部分４５２上には形成されず、むしろ、工具ヘッド４５４またはシャンク部分４６０上に形成される（すなわち、工具穴４５０Ａは、工具ヘッドの後面４５８の後方に、しかもシャンク部分４６０上に形成される）。しかしながら、より小さなねじ（図示せず）が必要とされる場合があるが、補強部分上にねじ切り工具穴を設けることは完全に実現不可能ではないことに留意されたい。
【０２６９】
一般的に言えば（すなわち、全ての実施形態を参照すると）、補強部分は、タレットから離れる方向に工具ホルダの突出を増大させるという点で不利であることに留意されたい。したがって、補強部分幅ＨＷは、有利なことに構造強度を提供するが、できるだけ狭くすべきである。したがって、好ましいことに、補強部分幅ＨＷは、２０ｍｍ未満であり、好ましくは１０ｍｍ未満であるべきである。しかしながら、構造支持のためには、かなりの幅が必要であるので、最も好ましい幅は、２ｍｍ＜ＨＷ＜８ｍｍの条件を満たす。
【０２７０】
切削工具アセンブリ４００に戻ると、正方形突切りブレード４０２は、突切りブレード高さＨｉと突切りブレード長さＬｉとが同一である。
【０２７１】
全体像を提供するために、直径８０ｍｍのワークピース（図示せず）を一部にするように構成された第一の試験されたプロトタイプの実際の寸法は、ＨＲ＝６４ｍｍ、Ｌｉ＝Ｈｉ＝ＬＰ＝ＨＰ＝６０ｍｍ、ＬＨ＝５０ｍｍ、ＨＳ＝２５ｍｍである。
【０２７２】
上記の寸法は、任意の一般的な標準シャンクサイズ（例えば、１９ｍｍ〜３２ｍｍのシャンク高さＨＳを有する正方形断面シャンク）に提供され得ることに留意されたい。
【０２７３】
所与の例では、ＬＰ／ＬＨ＝１．２であり、これは、前述した実施形態よりもわずかにコンパクトではない。しかしながら、ポケットをどの程度後方に設計することができるかは、可変である。
【０２７４】
新たに設計された形態では、図示されたものと基本的に同一であるが、直径１２０ｍｍのワークピース（図示せず）を突切りするための寸法は、ＨＲ＝９５ｍｍ、Ｌｉ＝Ｈｉ＝ＬＰ＝ＨＰ＝９０ｍｍ、ＬＨ＝６７ｍｍ、ＨＳ＝１９〜３２ｍｍである。
【０２７５】
新たな設計では、ＬＰ／ＬＨ＝１．３４であり、これは、図２４で前述した実施形態よりもコンパクトである。
【０２７６】
四方向割出し可能なプロトタイプは、極めて安定であり、直径８０ｍｍのワークピースに対しては、２ｍｍの突切りブレード厚さが容易に十分であることが分かったことに留意されたい。そのような安定性によって、突切りブレード厚さを１．２ｍｍ〜１．６ｍｍの間にすることさえ可能になる一方で、優れた安定性も提供すると考えられ、そのような厚さは、上述の複数の利点に加えて、このように切込み深さの深い突切りブレードにとって画期的であると考えられる。
【０２７７】
次に、図２１Ａ〜図２３Ｅを参照すると、さらに別の切削工具アセンブリ５００が示される。四インサートシート突切りブレード４０２の開発に加えて、三インサートシート突切りブレード５０２は、インサートシート５０６が１つ少ないために、テストされた形態では、突切りブレード５０２の工具寿命が比較的短くなっても、さらにコンパクトな工具ホルダ５０４が可能になり、優れた安定性を示すことが発見された。
【０２７８】
例示のプロトタイプ切削工具アセンブリ５００は、クーラント構造を示していないが、必要に応じて１つ設けることができる。追加として、開発中に、他の形状の突切りブレードに適用できる更なる独特の特徴が開発された。
【０２７９】
前述の実施形態と同様の特徴が図面から容易に明らかになるので、開発された注目すべき新たな特徴のみを説明する。
【０２８０】
突切りブレード５０２には、複数の貫通穴５１０（好ましくは、他の実施形態のように、ねじなし）、すなわち、第一、第二、第三、および第四の貫通穴５１０Ａ、５１０Ｂ、５１０Ｃ、５１０Ｄが設けられている。特に、これらの貫通穴は、インサートシート５０６に隣接する穴ではなく、デュアル機能を有していない。さらに、インサートシート５０６に隣接する貫通穴５１２Ａ、５１２Ｂ、５１２Ｃは、上述のデュアル機能を有する。
【０２８１】
特に、工具ホルダ５０４には、貫通穴５１２Ａ、５１２Ｂ、５１２Ｃと整列するように構成された第一および第二のねじ切りホルダ穴５１４Ａ、５１４Ｂが設けられている。
【０２８２】
同様に、工具ホルダ５０４には、第一、第二、第三および第四の貫通穴５１０Ａ、５１０Ｂ、５１０Ｃ、５１０Ｄと整列するように構成された第三および第四のねじ切りホルダ穴５１６Ａ、５１６Ｂが設けられている。
【０２８３】
ねじ５１８が図２３Ａに最もよく示されていることに留意すれば、この実施形態は、４つのねじ５１８で固定されることが理解されよう。
【０２８４】
一般的に言えば、突切りブレードおよび工具ホルダを備える切削工具アセンブリを提供することは、別個に発明された態様であると考えられ、ここで、突切りブレードの穴の一部はデュアル使用の穴であり、一部は上述したように、単一使用の穴である。
【０２８５】
工具ホルダ５０４は、２つの工具当接面（すなわち、大きな側壁部分５２０および小さな側壁部分５２２）を備える。
【０２８６】
第一の貫通穴５１０Ａおよび第三のねじ穴５１６Ａは、互いに対してオフセットされて、図２２Ａに示される付勢力ＤＢを提供する。好ましくは、付勢力ＤＢは、大きな側壁部分５２０に向けられる。さらにより好ましくは、付勢力ＤＢは、大きな側壁部分５２０の中央よりも小さな側壁部分５２２に近い部分において、大きな側壁部分５２０に向けられる。
【０２８７】
図示されていないが、第三のねじ穴５１６Ａは、オフセットではなく、前の実施形態と同様の方法で、例えば、いわゆる「横方向プランジャ」を用いて付勢力を提供するように構成することもできる。
【０２８８】
図２３Ｃは、どの穴が整列しているかの例を概略的に示す。
【０２８９】
特に、ポケット５２４は、前述の実施形態よりも工具ヘッドの後面５２６のさらに後方に延在する。前述の実施形態と同様に、側壁部分全体（この例では５２０で示される）を後面５２６に対して後方に配置することができる。
【０２９０】
切削工具アセンブリ５００に戻ると、直径８０ｍｍのワークピース（図示せず）を一部にするように構成された第一の試験されたプロトタイプの寸法は、ＨＲ＝７２ｍｍ、Ｌｉ＝７０ｍｍ、Ｈｉ＝６８ｍｍ、ＬＰ＝６６ｍｍ、ＨＰ＝６８ｍｍ、ＬＨ＝３７ｍｍ、ＨＳ＝２５ｍｍである。
【０２９１】
上記の寸法は、任意の一般的な標準シャンクサイズ（例えば、１９ｍｍ〜３２ｍｍのシャンク高さＨＳを有する正方形断面シャンク）に提供され得ることに留意されたい。
【０２９２】
所与の例では、ＬＰ／ＬＨ＝１．７８であり、これは、前述した実施形態よりも大幅にコンパクトである。したがって、インサートシートの数がより少なくても、このような実施形態は有利である。
【０２９３】
図示の３つ、４つ、および５つのインサートシートを有する突切りブレードに鑑みて、任意の数のインサートシートが理論的に可能であるが、最も好ましいインサートシートの数は、３つ〜６つであることに留意されたい。確かに、３つのインサートシートは、１つまたは２つのインサートシートよりも明らかな利点を提供するが、単一のインサートシートですらも、確かに実現可能な選択肢である。しかしながら、インサートシートが６つを超えると、チップ排出が困難になる（インサートシートを追加するごとに、インサートシートが円周方向に接近する）。それにもかかわらず、このコンセプトは、切込み深さを非常に深くすることが実現可能であり得るので、突切りブレードは、実現可能なように、多くのインサートシートを有し得る。
【０２９４】
上記の説明は、例示的な実施形態および詳細を含み、本出願の請求の範囲から例示的でない実施形態および詳細を排除するものではない。
【図１】
2021504172.tif 000003
【図２】
2021504172.tif 000004
【図３】
2021504172.tif 000005
【図３Ａ】
2021504172.tif 000006
【図４Ａ】
2021504172.tif 000007
【図４Ｂ】
2021504172.tif 000008
【図４Ｃ】
2021504172.tif 000009
【図４Ｄ】
2021504172.tif 000010
【図４Ｅ】
2021504172.tif 000011
【図５Ａ】
2021504172.tif 000012
【図５Ｂ−５Ｅ】
2021504172.tif 000013
【図６】
2021504172.tif 000014
【図７Ａ】
2021504172.tif 000015
【図７Ｂ】
2021504172.tif 000016
【図７Ｃ】
2021504172.tif 000017
【図８Ａ】
2021504172.tif 000018
【図８Ｂ−８Ｅ】
2021504172.tif 000019
【図９Ａ−９Ｅ】
2021504172.tif 000020
【図１０Ａ】
2021504172.tif 000021
【図１０Ｂ−１０Ｄ】
2021504172.tif 000022
【図１１Ａ−１１Ｅ】
2021504172.tif 000023
【図１２Ａ】
2021504172.tif 000024
【図１２Ｂ】
2021504172.tif 000025
【図１３Ａ】
2021504172.tif 000026
【図１３Ｂ】
2021504172.tif 000027
【図１３Ｃ−１３Ｅ】
2021504172.tif 000028
【図１４Ａ】
2021504172.tif 000029
【図１４Ｂ】
2021504172.tif 000030
【図１４Ｃ−１４Ｇ】
2021504172.tif 000031
【図１５Ａ】
2021504172.tif 000032
【図１５Ｂ】
2021504172.tif 000033
【図１５Ｃ−１５Ｇ】
2021504172.tif 000034
【図１６Ａ】
2021504172.tif 000035
【図１６Ｂ−１６Ｅ】
2021504172.tif 000036
【図１７】
2021504172.tif 000037
【図１８Ａ−１８Ｃ】
2021504172.tif 000038
【図１９Ａ−１９Ｅ】
2021504172.tif 000039
【図２０Ａ−２０Ｅ】
2021504172.tif 000040
【図２１Ａ−２１Ｃ】
2021504172.tif 000041
【図２２Ａ−２２Ｄ】
2021504172.tif 000042
【図２３Ａ】
2021504172.tif 000043
【図２３Ｂ】
2021504172.tif 000044
【図２３Ｃ】
2021504172.tif 000045
【図２３Ｄ】
2021504172.tif 000046
【図２４Ａ−２４Ｅ】
2021504172.tif 000047
【国際調査報告】
2021504172.tif 000048
2021504172.tif 000049
2021504172.tif 000050